(57)【要約】  缶あるいはボトルのような物品を分配及び保持するためのカートンは、第１の取り外し可能部分を取り除くことによって、それから第２の取り外し可能部分を少なくとも部分的に取り外すことによって開けられ、一方または両方の取り外し可能部分が取り除かれた後に、物品を分配するための開口部を画成し、かつ、カートン内の物品を保持するための手段を画成する。第１の取り外し可能部分の取り除きは、第２の取り外し可能部分へのアクセスを提供し、その少なくとも部分的な取り外しを容易にする。第２の取り外し可能部分は、可変的かつ可逆的に開口部を再画成あるいは再構成するように撓み可能とされ、該開口部は、分配される物品の取り出しを容易にし、分配されないカートン内の物品を保持する。第１の取り外し可能部分は、引き裂き開始に役立つタブあるいは他の把持手段を含んでいる。
2007511438.tif 000002
【特許請求の範囲】
【請求項１】
物品を携行するためのカートンにおいて：
該カートンの壁を形成するように協働する複数のパネルと；
該カートンの少なくとも第１及び第２の隣接する壁に取り外し可能に接続された少なくとも１つの取り外し可能部分であって、該カートンから取り外されて、該カートンからの取り出しのために少なくとも１つの末端の物品を露出させる開口部を画成する少なくとも１つの取り外し可能部分と；
前記少なくとも１つの取り外し可能部分が該カートンから取り外された後に、該カートン内に１つ以上の物品を保持するための保持手段と；
を備えており、
前記保持手段は：
該カートンから部分的に取り外される、前記１つ以上の物品の一方の端部を拘束するための可撓部分と；
前記１つ以上の物品の反対側の端部を拘束するための剛体部分と；
を備え、
前記可撓部分及び前記剛体部分がそれぞれ、前記少なくとも１つの取り外し可能部分に隣接していることを特徴とするカートン。
【請求項２】
請求項１に記載のカートンにおいて、
前記少なくとも１つの取り外し可能部分が、該カートンの少なくとも前記第１及び第２の壁に一体とされた少なくとも１つの切り取り線によって画成されていることを特徴とするカートン。
【請求項３】
請求項１に記載のカートンにおいて、
前記可撓部分が、折り曲げ線によって該カートンに折り曲げ可能に接続されていることを特徴とするカートン。
【請求項４】
請求項３に記載のカートンにおいて、
前記可撓部分が前記折り曲げ線に関して旋回されうるように、前記可撓部分を部分的に取り外すための少なくとも１つの分離手段をさらに備えていることを特徴とするカートン。
【請求項５】
請求項４に記載のカートンにおいて、
前記少なくとも１つの分離手段が、前記切り取り線から始まって前記折り曲げ線の端部で終端していることを特徴とするカートン。
【請求項６】
請求項４に記載のカートンにおいて、
前記分離手段が、前記切り取り線から始まって前記折り曲げ線の端部の近くで実質的に終端していることを特徴とするカートン。
【請求項７】
請求項４に記載のカートンにおいて、
該カートンからの前記少なくとも１つの末端の物品の取り出しを容易にするため、前記可撓部分を部分的に取り外すのと同時に、前記開口部を可変的に拡大するように前記可撓部分が旋回されうることを特徴とするカートン。
【請求項８】
請求項４に記載のカートンにおいて、
該カートンからの前記少なくとも１つの末端の物品の取り出しを容易にするため、前記部分的取り外し可能部分を取り外すのと同時に、前記開口部を可逆的に拡大するように前記部分的取り外し可能部分が旋回されうることを特徴とするカートン。
【請求項９】
請求項４に記載のカートンにおいて、
前記分離手段が切り取り線であることを特徴とするカートン。
【請求項１０】
請求項４に記載のカートンにおいて、
前記分離手段が引き裂きテープであることを特徴とするカートン。
【請求項１１】
請求項３に記載のカートンにおいて、
前記折り曲げ線が、該カートンの前記第１及び第２の壁に隣接する壁に一体とされていることを特徴とするカートン。
【請求項１２】
物品を携行するためのカートンにおいて：
頂部壁と該カートンの端部フラップ及び端部壁パネルを含んで前記頂部壁に隣接する端部壁とを備えた複数の壁と；
前記頂部及び端部壁に一体とされた切り取り線によって画成され、前記頂部及び端部壁に取り外し可能に接続された取り外し可能部分であって、該カートンから取り外されて、該カートンからの取り出しのために少なくとも１つの末端の物品を露出させる開口部を画成する取り外し可能部分と；
前記少なくとも１つの取り外し可能部分が該カートンから取り外された後に、該カートン内に１つ以上の物品を拘束するための保持手段と；
を備えており、
前記保持手段は：
前記１つ以上の物品の端部を拘束するための可撓部分であって、該少なくとも１つの部分的取り外し可能部分を部分的に取り外すのと同時に、該少なくとも１つの可撓部分が折り曲げ線を介して該カートンに折り曲げ可能に接続されて、該カートンからの前記少なくとも１つの末端の物品の取り出しを容易にするため、前記開口部を可変的かつ可逆的に拡大するように構成された可撓部分と；
前記１つ以上の物品の反対側の端部を拘束するための剛体部分と；
を備え、
前記可撓部分及び前記剛体部分がそれぞれ、前記切り取り線の少なくとも一部分に沿って前記少なくとも１つの取り外し可能部分に隣接していることを特徴とするカートン。
【請求項１３】
請求項１２に記載のカートンにおいて、
前記可撓部分を部分的に取り外すための分離手段であって、前記少なくとも１つの分離手段が、前記切り取り線から始まって前記折り曲げ線の端部で終端するように構成された分離手段をさらに備えていることを特徴とするカートン。
【請求項１４】
請求項１２に記載のカートンにおいて、
前記可撓部分が、前記頂部壁に取り外し可能に接続され、かつ、前記端部パネル及び前記頂部壁に隣接する側部壁に折り曲げ可能に接続されていることを特徴とするカートン。
【請求項１５】
請求項１３に記載のカートンにおいて、
前記可撓部分がさらに、前記端部壁に取り外し可能に接続されていることを特徴とするカートン。
【請求項１６】
１つのブランクから形成されるカートンにおいて：
頂部パネルと；
前記頂部パネルの対向する端縁のそれぞれに折り曲げ線に沿って接続された側部パネルと；
前記側部パネルの一方に前記頂部パネルとは反対側の端縁で折り曲げ線に沿って接続された底部パネルと；
前記頂部パネルと前記底部パネルと前記側部パネルのそれぞれとに対して折り曲げ線に沿ってそれぞれが接続されていて、該カートンが組み立てられたときに該カートンの端部を少なくとも部分的に閉じるための端部閉塞構造を形成する複数の端部フラップと；
切り取り線によって画成されるとともに前記頂部パネル及び前記端部フラップから少なくとも部分的に形成された取り外し可能部分であって、該カートンが組み立てられたときに、該カートンから取り外されて、該カートンから物品を分配するための開口部を画成する取り外し可能部分と；
前記少なくとも１つの取り外し可能部分が該カートンから取り外された後に、該カートン内に１つ以上の物品を保持するための保持手段と；
を備えており、
前記保持手段は：
前記切り取り線によって部分的に画成された、前記１つ以上の物品の一方の端部を拘束する可撓部分であって、該可撓部分を部分的に取り外すのと同時に、該可撓部分が前記側部パネルの少なくとも一部分に交差して延びる折り曲げ線を介して該カートンに折り曲げ可能に接続されて、該カートンからの前記少なくとも１つの末端の物品の取り出しを容易にするため、前記開口部を可変的かつ可逆的に拡大するように構成された可撓部分と；
前記切り取り線によって部分的に画成された、前記１つ以上の物品の反対側の端部を拘束するための剛体部分と、
を備えていることを特徴とするカートン。
【請求項１７】
請求項１６に記載のカートンにおいて、
前記可撓部分がさらに、前記切り取り線から前記側部パネルの少なくとも一部分に交差して延びる前記折り曲げ線まで延びている分離手段によって部分的に画成され、前記分離手段が、前記可撓部分を部分的に取り外すためのものであることを特徴とするカートン。
【請求項１８】
パッケージにおいて：
円柱形物品の少なくとも１つの段で形成された物品グループであって、該少なくとも１つの段が、平行に並んだ状態で横に配置された複数の前記物品を含んでいる物品グループと；
前記グループのまわりに配置されたカートンであって、該カートンが：チューブ状構造を形成するように一対の対向する側部壁によって互いに接続された頂部及び底部対向壁であって、前記側部壁のそれぞれが前記グループの前記物品における隣接する端部に横づけで配置されるように構成された頂部及び底部対向壁と；前記チューブ状構造の各端部を少なくとも部分的に閉じる端部閉塞構造であって、該端部閉塞構造のそれぞれが前記少なくとも１つの段のそれぞれの末端の物品の側部壁に横づけで配置されるように構成された端部閉塞構造と；前記カートンから前記少なくとも１つの段の末端の物品を分配するための物品ディスペンサーであって、該物品ディスペンサーが、前記頂部壁と前記端部閉塞構造の一方とから少なくとも部分的に形成された取り外し可能部分を備え、該取り外し可能部分が、切り取り線によって前記頂部パネルと前記一方の端部閉塞構造とに取り外し可能に接続され、該取り外し可能部分が、取り出しのために前記それぞれの末端の物品を露出させるための開口部を画成するように前記カートンから取り外されるように構成された物品ディスペンサーと；を含んでいるカートンと；
前記少なくとも１つの取り外し可能部分が前記カートンから取り外された後に、前記カートン内に１つ以上の物品を保持するための保持手段であって、該保持手段が：前記それぞれの端部閉塞構造と前記側部パネルの一方とから少なくとも部分的に形成された、前記１つ以上の物品の一方の端部を拘束するための可撓部分であって、該可撓部分を部分的に取り外すのと同時に、該可撓部分が前記側部パネルの一方の少なくとも一部分に交差して伸びる折り曲げ線を介して前記カートンに折り曲げ可能に接続されて、前記カートンからの前記少なくとも１つの末端の物品の取り出しを容易にするため、前記開口部を可変的かつ可逆的に拡大するように構成された可撓部分と；前記切り取り線によって部分的に画成された、前記１つ以上の物品の反対側の端部を拘束するための剛体部分と；を含んでいる保持手段と；
を備えていることを特徴とするパッケージ。
【請求項１９】
カートンによって囲まれた物品グループの少なくとも１つの末端の物品を分配するための方法において：
前記カートンからの取り出しのために前記少なくとも１つの末端の物品を露出させるための開口部を画成するように、かつ、前記末端の物品の端部を拘束するための剛体部分と前記末端の物品の反対側の端部を拘束するための可撓部分とを画成するように、前記カートンの少なくとも第１及び第２の隣接する壁に取り外し可能に接続された前記カートンの取り外し可能部分を取り外すステップと；
前記少なくとも１つの取り外し可能部分が前記カートンから取り外された後に前記可撓部分を部分的に取り外すステップであって、前記可撓部分が折り曲げ線によって前記カートンの第３の壁に折り曲げ可能に接続されるようにするステップと；
前記カートンからの前記少なくとも１つの末端の物品の取り出しを容易にするため、前記開口部を可変的に拡大するように、前記可撓部分を前記折り曲げ線に沿って撓ませるステップと；
を備えていることを特徴とする方法。
【請求項２０】
請求項１９に記載の方法において、
前記少なくとも１つの取り外し可能部分が前記カートンから取り外された後に、前記カートン内に物品を拘束することを容易にするため、前記開口部を可変的に縮小させるように、前記可撓部分を前記折り曲げ線に沿って撓ませるステップをさらに備えていることを特徴とする方法。
【請求項２１】
物品を包んで分配するためのカートンにおいて：
第１の壁と、第２の壁と、前記壁のそれぞれに協働して取り付けられた端部構造と；
少なくとも前記壁の一方のセクションに一体とされた第１の取り外し可能部分と；
少なくとも前記端部構造のセクションに一体とされた第２の取り外し可能部分と；
少なくとも前記第１の取り外し可能部分の周囲のセグメントを画成する第１の切り離し線と；
少なくとも前記第２の取り外し可能部分の周囲のセグメントを画成する第２の切り離し線と；
を備え、
前記切り離し線のそれぞれのセグメントが、前記取り外し可能部分のそれぞれに共通とされていることを特徴とするカートン。
【請求項２２】
請求項２１に記載のカートンにおいて、
前記第１の取り外し可能部分が、ギャップを画成する引き裂きストリップであり、該ギャップが、ユーザーが前記第２の取り外し可能部分を把持するために１つ以上の指を挿入することができるよう十分に幅広とされていることを特徴とするカートン。
【請求項２３】
請求項２２に記載のカートンにおいて、
前記引き裂きストリップが、把持手段を備えていることを特徴とするカートン。
【請求項２４】
請求項２１に記載のカートンにおいて、
前記第２の取り外し可能部分が、物品を分配するための開口部を画成する引き裂きパネルであることを特徴とするカートン。
【請求項２５】
請求項２４に記載のカートンにおいて、
前記引き裂きパネルが、前記端部構造の一部分を含んでいることを特徴とするカートン。
【請求項２６】
請求項２１に記載のカートンにおいて、
前記端部構造が、物品の好ましくない排出を拘束する端部閉塞構造であることを特徴とするカートン。
【請求項２７】
請求項２６に記載のカートンにおいて、
前記端部閉塞構造が、前記第１及び第２の壁のそれえぞれに隣接する第３の壁に折り曲げ可能に取り付けられた端部パネルを備えていることを特徴とするカートン。
【請求項２８】
カートンを形成するためのブランクにおいて：
第１の端部パネルを有し、第１の端縁に沿って頂部パネルに折り曲げ可能に接続された第１の側部パネルと；
第２の端部パネルを有し、第２の端縁に沿って前記頂部パネルに折り曲げ可能に接続された第２の側部パネルと；
前記第１の端部パネルに交差して延び、前記第１の側部パネルで終端する第１の端部パネル切り取り線と；
前記第１の端部パネルから前記頂部パネルまで延びる第１の側部パネル切り取り線と；
前記第１の側部パネルから前記第２の側部パネルまで延びる第１の頂部パネル切り取り線と；
前記頂部パネルから前記端部第２の端部パネルまで延びる第２の側部パネル切り取り線と；
前記第２の端部パネルに交差して延び、前記第２の側部パネルで終端する第２の端部パネル切り取り線と；
前記端縁の両方に交差して延びる第２の頂部パネル切り取り線と；
を備えていることを特徴とするブランク。
【請求項２９】
請求項２８に記載のブランクにおいて、
前記切り取り線が、隣接する取り外し可能部分を協働して画成していることを特徴とするブランク。
【請求項３０】
請求項２９に記載のブランクにおいて、
前記第１及び第２の頂部パネル切り取り線が、少なくとも取り外し可能引き裂きストリップのセクションを協働して画成していることを特徴とするブランク。
【請求項３１】
請求項３０に記載のブランクにおいて、
前記端部パネル、側部パネル、及び第２の頂部パネル切り取り線が、取り外し可能引き裂きパネルを協働して画成していることを特徴とするブランク。
【請求項３２】
請求項２９に記載のブランクにおいて、
前記側部パネルの一方に折り曲げ可能に接続された底部端部パネルを有する底部パネルをさらに備えていることを特徴とするブランク。
【請求項３３】
請求項３２に記載のブランクにおいて、
前記端部パネルが、前記取り外し可能部分の一方に隣接する端部構造を接続可能に形成するように構成されていることを特徴とするブランク。
【請求項３４】
容器からの物品の望ましくない排出を防止するための方法において：
前記容器の外部に一体とされた第１及び第２の取り外し可能部分を含む容器を提供するステップと；
前記第２の取り外し可能部分の端縁を露出させるように、前記容器から少なくとも前記第１の取り外し可能部分のセクションを分離するステップと；
前記容器からの少なくとも前記第２の取り外し可能部分のセクションの分離を開始するように、前記端縁に圧力を作用させるステップと；
前記容器から少なくとも前記第２の取り外し可能部分のセクションを分離するステップと；
前記容器の外部に一体とされ、前記取り外し可能な第２の部分の分離によって形成された、アクセスのための開口部を生じさせるステップと；
前記取り外し可能第２の部分に隣接する少なくとも端部構造の一部分で、前記開口部を通した物品の望ましくない排出をブロックするステップと；
を備えていることを特徴とする方法。
【請求項３５】
請求項３４に記載の方法において、
前記提供するステップが、全てが端部構造を形成するように接続された底部端部パネル、頂部端部パネル、及び複数の側部端部パネルを有する容器を提供するステップをさらに備えていることを特徴とする方法。
【請求項３６】
請求項３５に記載の方法において、
前記第１の取り外し可能部分を分離するステップが、ユーザーが前記端縁を把持するために十分な幅のギャップを形成するステップをさらに備えていることを特徴とする方法。
【請求項３７】
請求項３６に記載の方法において、
前記第２の取り外し可能部分の前記端縁を把持して引っ張るステップをさらに備えていることを特徴とする方法。
【請求項３８】
請求項３７に記載の方法において、
前記第２の取り外し可能部分を分離するステップが、少なくとも前記端部構造の一部分を取り外すステップをさらに備えていることを特徴とする方法。
【請求項３９】
物品を携行するためのカートンにおいて：
複数のパネルと；
該カートンの少なくとも第１及び第２の隣接するパネルに取り外し可能に接続された少なくとも１つの完全取り外し可能部分であって、前記カートンから取り外されて、前記カートンからの取り出しのために少なくとも１つの末端の物品を露出させるための開口部を画成するように構成された少なくとも１つの完全取り外し可能部分と；
前記少なくとも１つの完全取り外し可能部分が前記カートンから取り外され後に、前記カートン内に物品を拘束するための少なくとも１つの部分的取り外し可能部分と；
を備え、
前記少なくとも１つの完全取り外し可能部分と前記少なくとも１つの部分的取り外し可能部分とが互いに接していることを特徴とするカートン。
【請求項４０】
請求項３９に記載のカートンにおいて、
前記少なくとも１つの完全取り外し可能部分が、前記カートンの少なくとも前記第１及び第２のパネルに一体とされた少なくとも１つの切り取り線によって画成されていることを特徴とするカートン。
【請求項４１】
請求項４０に記載のカートンにおいて、
前記カートンに折り曲げ可能に接続された前記部分的取り外し可能部分を部分的に取り外すための少なくとも１つの分離手段をさらに備えていることを特徴とするカートン。
【請求項４２】
請求項４１に記載のカートンにおいて、
前記部分的取り外し可能部分が、折り曲げ線によって該カートンに折り曲げ可能に接続されていることを特徴とするカートン。
【請求項４３】
請求項４１に記載のカートンにおいて、
前記少なくとも１つの分離手段が、前記切り取り線から始まって前記折り曲げ線の一方で終端していることを特徴とするカートン。
【請求項４４】
請求項４１に記載のカートンにおいて、
前記少なくとも１つの分離手段が、前記切り取り線から始まって前記折り曲げ線の一方の端部の近くで実質的に終端していることを特徴とするカートン。
【請求項４５】
請求項４１に記載のカートンにおいて、
前記部分的取り外し可能部分を部分的に取り外すのと同時に、前記部分的取り外し可能部分が、前記カートンからの前記少なくとも１つの末端の物品の取り出しを容易にするため、前記開口部を可変的に拡大するように撓み可能とされていることを特徴とするカートン。
【請求項４６】
請求項４１に記載のカートンにおいて、
前記部分的取り外し可能部分を部分的に取り外すのと同時に、前記部分的取り外し可能部分が、前記カートンからの前記少なくとも１つの末端の物品の取り出しを容易にするため、前記開口部を可逆的に拡大するように撓み可能とされていることを特徴とするカートン。
【請求項４７】
請求項４１に記載のカートンにおいて、
前記分離手段が切り取り線であることを特徴とするカートン。
【請求項４８】
請求項４１に記載のカートンにおいて、
前記分離手段が引き裂きテープであることを特徴とするカートン。
【請求項４９】
請求項４２に記載のカートンにおいて、
前記折り曲げ線が、前記カートンの前記第１及び第２のパネルに隣接するパネルに一体とされていることを特徴とするカートン。
【請求項５０】
物品を携行するためのカートンにおいて：
頂部パネルと、該頂部パネルに隣接するとともに該カートンの端部フラップを含む端部パネルと、を備えた複数のパネルと；
前記頂部及び端部パネルに一体とされた切り取り線によって画成され、前記頂部及び前記端部パネルに取り外し可能に接続された完全取り外し可能部分であって、前記カートンから取り外されて、前記カートンからの取り出しのために少なくとも１つの末端の物品を露出させるための開口部を画成する完全取り外し可能部分と；
前記少なくとも１つの完全取り外し可能部分が該カートンから取り外された後に、該カートン内に物品を拘束するための少なくとも１つの部分的取り外し可能部分であって、該少なくとも１つの部分的取り外し可能部分を部分的に取り外すのと同時に、該少なくとも１つの部分的取り外し可能部分が折り曲げ線を介して該カートンに折り曲げ可能に接続されて、該カートンからの前記少なくとも１つの末端の物品の取り出しを容易にするため、前記開口部を可変的かつ可逆的に拡大するように構成された少なくとも１つの部分的取り外し可能部分と；
を備え、
前記完全取り外し可能部分と前記少なくとも１つの部分的取り外し可能部分のそれぞれとが、前記切り取り線の少なくとも一部分に沿って互いに接していることを特徴とするカートン。
【請求項５１】
請求項５０に記載のカートンにおいて、
前記切り取り線から始まって前記折り曲げ線の端部で終端する、各部分的取り外し可能部分を部分的に取り外すための少なくとも１つの分離手段をさらに備えていることを特徴とするカートン。
【請求項５２】
請求項５０に記載のカートンにおいて、
前記少なくとも１つの部分的取り外し可能部分が、前記頂部パネルに取り外し可能に接続され、かつ、前記端部パネルと前記頂部パネルとに隣接する側部パネルに折り曲げ可能に接続されていることを特徴とするカートン。
【請求項５３】
請求項５１に記載のカートンにおいて、
前記少なくとも１つの部分的取り外し可能部分がさらに、前記端部パネルに取り外し可能に接続されていることを特徴とするカートン。
【請求項５４】
１つのブランクから形成されるカートンにおいて：
頂部パネルと；
前記頂部パネルの対向する端縁のそれぞれに折り曲げ線に沿って接続された側部パネルと；
前記側部パネルの一方に前記頂部パネルとは反対側の端縁で折り曲げ線に沿って接続された底部パネルと；
前記頂部パネルと前記底部パネルと前記側部パネルのそれぞれとに対して折り曲げ線に沿ってそれぞれが接続されていて、該カートンが組み立てられたときに該カートンの端部を少なくとも部分的に閉じるための端部閉塞構造を形成する複数の端部フラップと；
切り取り線によって画成されるとともに前記頂部パネル及び前記端部フラップから少なくとも部分的に形成された完全取り外し可能部分であって、該カートンが組み立てられたときに、該カートンから取り外されて、該カートンから物品を分配するための開口部を画成する完全取り外し可能部分と；
前記切り取り線によって部分的に画成された少なくとも１つの部分的取り外し可能部分であって、該少なくとも１つの部分的取り外し可能部分を部分的に取り外すのと同時に、該少なくとも１つの部分的取り外し可能部分が前記側部パネルの一方の少なくとも一部分に交差して延びる折り曲げ線を介して該カートンに折り曲げ可能に接続されて、該カートンからの前記少なくとも１つの末端の物品の取り出しを容易にするため、前記開口部を可変的かつ可逆的に拡大するように構成された少なくとも１つの部分的取り外し可能部分と；
を備えていることを特徴とするカートン。
【請求項５５】
請求項５４に記載のカートンにおいて、
前記少なくとも１つの部分的取り外し可能部分がさらに、前記切り取り線から前記側部パネルの一方の少なくとも一部分に交差する前記折り曲げ線まで延びる分離手段によって部分的に画成され、該分離手段が、前記少なくとも１つの部分的取り外し可能部分を部分的に取り外すためのものとされていることを特徴とするカートン。
【請求項５６】
パッケージにおいて：
円柱形物品の少なくとも１つの段で形成された物品グループであって、該少なくとも１つの段が、平行に並んだ状態で横に配置された複数の前記物品を含んでいる物品グループと；
前記グループのまわりに配置されたカートンと；
を備え、
前記カートンが：
チューブ状構造を形成するように一対の対向する側部パネルによって互いに接続された頂部及び底部対向パネルであって、前記側部パネルのそれぞれが前記グループの前記物品の隣接する端部に横づけで配置されるように構成された頂部及び底部対向パネルと；
前記チューブ状構造の各端部を少なくとも部分的に閉じる端部閉塞構造であって、該端部閉塞構造のそれぞれが前記少なくとも１つの段のそれぞれの末端の物品の側部壁に横づけで配置されるように構成された端部閉塞構造と；
前記カートンから前記少なくとも１つの段の末端の物品を分配するための物品ディスペンサーと；
を備え、
前記物品ディスペンサーが：
前記頂部パネルと前記端部閉塞構造の一方とから少なくとも部分的に形成された完全取り外し可能部分であって、該完全取り外し可能部分が、切り取り線によって前記頂部パネルと前記一方の端部閉塞構造とに取り外し可能に接続され、取り出しのために前記それぞれの末端の物品を露出させるための開口部を画成するように前記カートンから取り外される完全取り外し可能部分と；
前記それぞれの端部閉塞構造と前記側部パネルの一方とから少なくとも部分的に形成され、前記少なくとも１つの完全取り外し可能部分が前記カートンから取り外された後に、前記カートン内に物品を拘束するための少なくとも１つの部分的取り外し可能部分であって、該少なくとも１つの部分的取り外し可能部分を部分的に取り外すのと同時に、該少なくとも１つの部分的取り外し可能部分が折り曲げ線を介して前記カートンに折り曲げ可能に接続されて、前記カートンからの前記少なくとも１つの末端の物品の取り出しを容易にするため、前記開口部を可変的かつ可逆的に拡大するように構成された少なくとも１つの部分的取り外し可能部分と；
を備えていることを特徴とするパッケージ。
【請求項５７】
カートンによって囲まれた物品グループの少なくとも１つの末端の物品を分配するための方法において：
前記カートンからの取り出しのために前記少なくとも１つの末端の物品を露出させることのための開口部を画成するように、前記カートンの少なくとも第１及び第２の隣接するパネルに取り外し可能に接続された前記カートンの完全取り外し可能部分を取り外すステップと；
前記少なくとも１つの記完全取り外し可能部分が前記カートンから取り外された後に、少なくとも１つの部分的取り外し可能部分を部分的に取り外すステップであって、
前記少なくとも１つの部分的取り外し可能部分が折り曲げ線によって前記カートンの第３のパネルに折り曲げ可能に接続されてるようにするステップと；
前記カートンからの前記少なくとも１つの末端の物品の取り出しを容易にするため、前記開口部を可変的に拡大するように、前記少なくとも１つの部分的取り外し可能部分を前記折り曲げ線に沿って撓ませるステップと；
を備えていることを特徴とする方法。
【請求項５８】
請求項５７に記載の方法において、
前記少なくとも１つの完全取り外し可能部分が前記カートンから取り外された後に、前記カートン内に物品を拘束することを容易にするため、前記開口部を可変的に縮小させるように、前記少なくとも１つの部分的取り外し可能部分を前記折り曲げ線に沿って撓ませるステップをさらに備えていることを特徴とする方法。
【請求項５９】
複数の列及び少なくとも１つの段で配置された円柱形物品のグループを囲むためのカートンにおいて：
互いに折り曲げ可能に接続された複数の壁と；
少なくとも第１及び第２の隣接する壁に取り外し可能に接続された少なくとも１つの取り外し可能部分であって、該少なくとも１つの取り外し可能部分が前記カートンから取り外されて、前記物品グループの末端の列に隣接する列における少なくとも１つの物品の少なくとも一部分を露出させるための開口部を画成する少なくとも１つの取り外し可能部分と；
を備えていることを特徴とするカートン。
【請求項６０】
請求項５９に記載のカートンにおいて、
前記少なくとも１つの取り外し可能部分が前記カートンから取り外された後に、前記カートン内に物品を拘束するための少なくとも１つの部分的取り外し可能部分をさらに備え、
前記少なくとも１つの完全取り外し可能部分と前記少なくとも１つの部分的取り外し可能部分とが互いに接していることを特徴とするカートン。
【請求項６１】
請求項５９に記載のカートンにおいて、
前記末端の列に隣接する前記列における前記物品が、物品のグループにおける最上方の段にあることを特徴とするカートン。
【請求項６２】
請求項５９に記載のカートンにおいて、
前記末端の列に隣接する前記列における前記物品が、物品のグループにおける最下方の段にあることを特徴とするカートン。
【請求項６３】
請求項５９に記載のカートンにおいて、
前記末端の列に隣接する前記列における前記物品が、物品のグループにおける最上方の段と最下方の段との間の段にあることを特徴とするカートン。
【請求項６４】
請求項５９に記載のカートンにおいて、
前記取り外し可能部分が切り取り線によって画成されていることを特徴とするカートン。
【請求項６５】
請求項６０に記載のカートンにおいて、
前記部分的取り外し可能部分が切り取り線によって少なくとも部分的に画成されていることを特徴とするカートン。
【請求項６６】
請求項６５に記載のカートンにおいて、
前記部分的取り外し可能部分が折り曲げ線によって部分的に画成されていることを特徴とするカートン。
【請求項６７】
請求項５９に記載のカートンにおいて、
前記開口部が、前記物品グループの末端の列に隣接する列における前記少なくとも１つの物品の端部の少なくとも一部分を露出させることを特徴とするカートン。
【請求項６８】
請求項６７に記載のカートンにおいて、
前記端部の前記一部分が、前記物品グループの末端の列に隣接する列における前記少なくとも１つの物品の取り出しを可能にするのに十分なものとされていることを特徴とするカートン。
【請求項６９】
パッケージにおいて：
円柱形物品の少なくとも１つの列及び少なくとも１つの段で形成された物品グループであって、該少なくとも１つの段が、平行に並んだ状態で横に配置された複数の前記物品を含んでいる物品グループと；
前記グループのまわりに配置されるカートンと；
を備え、
前記カートンが：
チューブ状構造を形成するように一対の対向する側部壁によって互いに接続された頂部及び底部対向壁であって、前記側部壁のそれぞれが前記グループの前記物品の隣接する端部に横づけで配置されるように構成された頂部及び底部対向壁と；
前記チューブ状構造の各端部を少なくとも部分的に閉じる端部閉塞構造であって、前記端部閉塞構造のそれぞれが前記物品グループの末端の列における物品の側部に横づけで配置されるように構成された端部閉塞構造と；
前記物品グループにおける物品を分配するための物品ディスペンサーと；
を備え、
前記物品ディスペンサーが：
前記頂部壁と前記端部閉塞構造の一方とから少なくとも部分的に形成された完全取り外し可能部分であって、該完全取り外し可能部分が、切り取り線によって前記頂部パネルと前記一方の端部閉塞構造とに取り外し可能に接続され取り出しのために前記それぞれの末端の物品を露出させるとともに前記末端の列に隣接して列における物品の端部の少なくとも一部分を露出させるための開口部を画成するように前記カートンから取り外される完全取り外し可能部分と；
前記それぞれの端部閉塞構造と前記側部壁の一方とから少なくとも部分的に形成され、前記少なくとも１つの完全取り外し可能部分が前記カートンから取り外された後に、前記カートン内に物品を拘束するための少なくとも１つの部分的取り外し可能部分であって、前記少なくとも１つの部分的取り外し可能部分を部分的に取り外すのと同時に、該少なくとも１つの部分的取り外し可能部分が折り曲げ線を介して前記カートンに折り曲げ可能に接続されて、前記カートンからの前記物品の取り出しを容易にするため、前記開口部を可変的かつ可逆的に拡大するように構成された少なくとも１つの部分的取り外し可能部分と；
を備えていることを特徴とするパッケージ。
【発明の詳細な説明】
【技術分野】
【０００１】
この発明は、一般に、飲料缶あるいはボトルのような複数の物品をパッケージするためのカートンに関するものであり、より詳しくは、２ステップ開口機能を有する板紙カートンであって、可撓アクセス開口部を有する物品ディスペンサーを提供し、同時に該可撓アクセス開口部を通してカートン内の１つ以上の物品が分配されうる板紙カートンに関するものである。
【背景技術】
【０００２】
清涼飲料缶あるいはボトルのような複数の物品を包んで分配するためのカートンは、消費者が消費のために物品を搬送、収容、及びアクセスできるようにするのに役立つ。消費者は、一般に、１度に１つずつの物品に容易にアクセスするための柔軟性を好む。そのため、いくつかのカートンは、残りの物品を包みつつも１つ以上の物品が取り出されるのを許容するディスペンサーを有している。消費者は、物品が分配されうる開口部を形成するためにカートンの一部分を引き裂く。
【０００３】
物品ディスペンサーを有するそのような飲料カートンは、周知技術である。１つの例は、取り除き可能セクションがカートンの一方の端部に配置されてなる特許文献１に開示されている。取り除き可能セクションは、引き裂き線によって画成されている。カートンを開けるために、指フラップを、取り除き可能セクションの一部分がカートンから分離されるように押圧する。それから、取り除き可能セクションを把持して外方側に引っ張り、引き裂き線を底部壁まで完全に破断させる。そうすると、取り除き可能セクションは、底部端部フラップの一部とともに回動して下げられることができ、アクセス開口部を生じさせて、該アクセス開口部を通じてカートン内の缶が露出される。開口部は、開口部の周囲の少なくとも一部が、缶ストッパとして機能し、かつ缶が開口部中を望ましくなくカートンから転がり出るのを防止するように寸法設定されている。
【特許文献１】米国特許第６，５７８，７３６号明細書
【発明の開示】
【発明が解決しようとする課題】
【０００４】
しかしながら、指フラップは、それがカートン壁から分離することが容易ではないため、時折操作しにくいことが分かった。これは、側部カートン壁全体が、指フラップに作用する押圧力に対して撓んでしまうためであり、その結果、十分なせん断応力が引き裂き線に沿って誘発されない。さらに、（子供のような）特定の消費者は、カートンを開けて物品を取り出すために、引き裂きを開始するための十分な力を作用させることができない。さらにまた、指フラップがカートン壁からの取り除き可能セクションの分離をうまく開始させたときでさえも、消費者は、取り除き可能セクションのその部分と残りのカートン壁との間の狭いスペースに１つ以上の指を挿入しなければならず、これは時折、消費者を挟まれた指で苦しませる。したがって、特に、引き裂きを開始する適切なポイントを見つけるために消費者が切り取り線の残りから指フラップを目視で区別することができない場合に、開口部を形成するためにカートンを引き裂くことは多少困難であり得る。特許文献１に示されたような挿入フラップなどの事前に切断された孔部を付加することは、カートンの構造完全性を損ない、かつ、光、湿気、及びダストの浸入を受けやすくなり、したがって、有利な解決案ではない。
【０００５】
したがって、使用するのに便利な改良された物品ディスペンサーを備えたカートンが必要である。そのようなカートンは、取り除き可能部分を把持して取り除くための操作しやすい手段と、信頼できる物品ストッパとを有しているべきである。
【課題を解決するための手段】
【０００６】
本発明は、有利には、カートン内の物品にアクセスするために必要な労力を減少させ、カートン内に残っている物品の保持を改善する。より詳しくは、本発明は、カートンの一方の端部で互いに接する複数の取り外し可能部分を有するディスペンサー付きのカートンを提供する。取り外し可能部分は、分離するようにかつ少なくとも部分的にカートンから取り外されることができ、物品を分配しつつカートン内に残る物品を拘束するための開口部を画成する。
【０００７】
一般に、本発明のカートンを形成するために、複数のパネルが互いに接続されている。少なくとも３つのパネルが互いに隣接している。カートンが組み立てられると、該パネルは、複数の物品を包むためのカートン壁を形成するように協働する。
【０００８】
本発明の１つの観点によれば、カートンが、少なくとも１つの第１の取り外し可能部分を含んでおり、該少なくとも１つの第１の取り外し可能部分は、少なくとも１つの少なくとも部分的に取り外し可能な第２の部分についての少なくとも部分的な取り除きを容易にする。第１の取り外し可能部分は、隣接する第１及び第２のカートン壁の少なくとも一部分から形成されたカートンに実質的に一体とされた部分である。第１の取り外し可能部分の取り除きの後、第１及び第２の壁の一方または両方の少なくとも１つの隣接する部分が、そのまま残る。第１の取り外し可能部分の取り除きは、第２の取り外し可能部分の少なくとも１つの端縁を露出させ、それはその後、第２の取り外し可能部分の少なくとも部分的な取り除きを開始しかつこれを果たすためのより便利な取っ手として使用されうる。
【０００９】
特定の実施例では、第１の取り外し可能部分が、引き裂きストリップであり、少なくとも部分的なその取り除きが、物品を分配するための開口部を画成して、第２の取り外し可能部分へのアクセスを容易にする。第２の取り外し可能部分は、カートンから物品が望ましくなく転がり出たり落ちたりするのとを防止する一方、カートンからの物品の選択的な取り出しを許容するように撓み可能とされていることができ、また、カートン内に物品を保持することがもはや必要でないときには完全に取り外されるようにしてもよい。例えば、第２の取り外し可能部分が、カートンの上方段における物品を撓み可能に拘束するための取り外し可能保持手段として機能しうる。第２の取り外し可能部分を完全に取り外すことは、カートンの端部及び側部の一部分を備えた物品ストッパのような一体的保持手段の少なくとも１つの端縁を画成する。前述の例によれば、そのような物品ストッパは、上方段における物品が落ちてしまうリスクを回避するためにもはや第２の取り外し可能部分のサポートを必要としなくなった後に、カートンの下方段における物品をしっかりと拘束しうる。
【００１０】
第２の取り外し可能部分は、開口部を可変的かつ可逆的を再構成する可撓部分となるように、部分的に取り外し可能とされうるのみであり、第１の取り外し可能部分が取り除かれた後に、カートン内の物品を保持する。カートンは、それぞれが少なくとも１つの物品の少なくとも一部分を拘束するように機能する複数の第２の取り外し可能部分を含みうる。
【００１１】
本発明の他の観点によれば、第１の取り外し可能部分は、すぐにあるいは容易に破断される第１の切り離し線によって画成されており、該第１の切り離し線は、切り取り線に沿った引き裂きあるいは破断を容易にするためのミシン目あるいは切断によって弱化された切り取り線のようなものである。第１の取り外し可能部分は、好ましくは、隣接するカートン壁と第２の取り外し可能部分の少なくとも１つの端縁との間に、消費者の１つあるいは全ての指の挿入を受け入れるのに十分なスペースを画成するように、十分に幅広とされており、消費者が、完全的あるいは部分的取り外しのために第２の取り外し可能部分を把持することができるようにしている。第１の取り外し可能部分は、好ましくは、少なくとも第２の取り外し可能部分の少なくとも１つの端縁全体を露出させるように十分に長くなっており、第２の取り外し可能部分を取り除くかあるいは部分的に取り外すことによってカートンに開口部を画成するかあるいは再構成する場合に、第２の取り外し可能部分を不注意に二分してしまう可能性を減少させるように、消費者が端縁全体を把持して引っ張ることができるようにしている。いくつかの実施例において、第１の取り外し可能部分は、第１の取り外し可能部分の１つの長さ方向端縁が１つ以上のカートン壁の端縁の少なくとも一部分によって画成されるとともにこれに一致するように、位置しうる。
【００１２】
本発明の特定の実施例の観点によれば、第２の取り外し可能部分は、第２の取り外し可能部分がカートンから完全に取り外されうるようにする第１の切り離し線及び第２の切り離し線により、少なくとも部分的に画成されている。第２の取り外し可能部分は、その後に開いたカートンの該カートンに残る物品を拘束する能力を保持しつつ、カートンから完全に取り外されてもよい。特定の実施例では、第２の取り外し可能部分が、端部壁から少なくとも部分的に形成されている。端部壁は、より正確には、カートン壁に折り曲げ可能に接続される端部パネルから形成された端部閉塞構造である。第１の取り外し可能部分は、端部壁の少なくとも一部分の完全性を妨げることなくカートンから取り外されてもよい。したがって、端部壁の少なくとも一部分は、好ましくは、第１の取り外し可能部分が、取り外され、かつ、第１の取り外し可能部分の取り外しによって生じる開口部を通じた物品の望ましくない排出をブロックするための物品保持具あるいはストッパとして機能した後でも、少なくとも部分的に直立した位置のままである。特定の他の実施例では、第２の取り外し可能部分が、２つ以上の隣接する壁の一部分から形成され、第２の取り外し可能部分の取り除きが、２つ以上の隣接する壁の残りの部分によって画成された剛体保持手段を画成している。
【００１３】
本発明の特定の他の実施例の観点によれば、第２の取り外し可能部分は、切り離し線、摩擦ジョイント、ミシン目、引き裂きテープや、当業者に周知のあるいは未だ開発されていない他の適切な分離機構などの１つ以上の分離手段により、部分的に取り外し可能で撓み可能とされている。各分離手段は、第１の切り離し線から第１及び第２の壁に隣接する壁までの距離にわたっており、第２の取り外し可能部分の部分的な取り外しあるいは撓み移動を容易にしている。したがって、第２の取り外し可能部分は、第１の切り離し線と、分離手段と、隣接する壁に一体とされるかあるいは隣接する壁の端縁に位置する１つ以上の折り曲げ線とによって、少なくとも部分的に画成されている。部分的な取り外しは、物品が分配されるときには開口部を拡大するように、かつ、物品が分配されないときには開口部を縮小させることによって拡大を逆転し、ディスペンサー開口部を通じて物品が落下するのを防止するように、第２の取り外し可能部分が自由に撓むようにする。逆転は、手動で、あるいはカートン材料の弾性的な復元により自動でなされうる。
【００１４】
本発明の他の観点によれば、第２の取り外し可能部分の取り除きあるいは位置変更は、カートンから物品を分配するための開口部を画成するかあるいは再構成する。
【００１５】
本発明のさらに他の観点によれば、第２の取り外し可能部分の取り除きあるいは位置変更は、カートン内に物品を保持するための保持手段を画成するかあるいは生じさせる。
【００１６】
本発明の他の観点によれば、第１の取り外し可能部分を画成するための第１の切り離し線をブランクの一方の端部に有し、第２の取り外し可能部分を画成する第２の切り離し線あるいは切り離し手段をブランクの端部に有するブランクから、カートンが形成されている。
【００１７】
特定の実施例では、第１の切り離し線は、連続的であって、相対的に幅狭で相対的に長い引き裂きストリップとしての第１の取り外し可能部分を画成し、該引き裂きストリップは、第１の側部壁を少なくとも部分的に交差し、頂部壁を完全に交差し、かつ第２の側部壁を少なくとも部分的に交差するように、横方向に方向付けられている。第１の切り離し線の長さに沿った一方の端縁の少なくとも一部分は、第２の切り離し線によって画成されて該第２の切り離し線に一致している。第２の切り離し線は、第１の側部壁に折り曲げ可能に接続された端部フラップの一部分に交差して延びており、該第２の切り離し線は、末端縁で始まって、第１の側部端部フラップの基端縁に交差して、隣接する第１の側部壁の方へ延びている。第２の切り離し線は、第１の側部壁から横方向に続き、頂部壁に交差し、それから第２の側部壁に交差して少なくとも部分的に交差している。第２の切り離し線はそれから、第２の側部端部フラップの方へターンして続いており、第２の端部フラップの末端縁で終端している。
【００１８】
特定の他の実施例では、第１の切り離し線が、端部フラップ及び端部壁パネルを備えた第２の壁の少なくとも一部分に交差して延びる複数の切り取り線を含んでいる。そのような切り取り線は、端部フラップの１つの側部あるいはそのそれぞれの末端部のいずれかで始まり、それが始まった端部フラップの他方の側部で終端する。他の切り取り線は、第１のパネルの端部フラップの末端部から第１のパネル上へ延び、それが始まった端部フラップの末端部の他のポイントで終端するようにターンして戻っている。特定の実施例では、さらなる切り取り線は、末端部から第１のパネルに対向するパネルの端部フラップの基端縁まで延びている。切り取り線は、カートンが組み立てられたときに互いに協働し、端部フラップは、第１の取り外し可能部分を画成するように一緒に折り曲げられる。
【００１９】
これらの実施例では、ブランクがまた、組み立てカートンの第１及び第２の壁に隣接する少なくとも１つのパネルの少なくとも一部分の端縁に交差するかあるは沿って延びる折り曲げ線を含んでいる。折り曲げ線は、第２の取り外し可能部分が分離手段を介して部分的に取り外された後に、第２の取り外し可能部分がそのまわりに撓むことができる移動軸線を画成し、該分離手段は、第１の切り離し手段から隣接するパネルの折り曲げ線の端部まであるいはその近くまで延びている。
【００２０】
本発明のさらに他の観点によれば、第１の取り外し可能部分は、第１の取り外し可能部分の取り除きを容易にするための少なくとも１つの端部に接続されるか、あるいは隣接する引き裂き開始手段を有している。適切な引き裂き開始手段は、限定されないが、プッシュタブ、プルタブ、フラップ、ループや、タブ、ループ、あるいはフラップの任意の組み合わせや、あるいは、相対的に細くて幅狭の構造物の端部を把持したり握ったりするための同等構造物などを含んでいる。例示的な実施例では、引き裂き開始手段が、切断、切り込み、及びハーフカットの任意の組み合わせによって形成されていて、カートン壁に一体とされかつ引き裂きストリップの端部に配置されている。例えば、引き裂き開始手段は、切断線あるいは切り取り線によって二分される他の形状が使用されうるが、略半円形あるいは三角形の領域を形成する切り込み線を含んでいることができ、二分する線に圧力を作用させることによって指をカートンに貫通させ、それによって、二分された半円形あるいは三角形の領域のセグメントを折り曲げ、それによって、第１の取り外し可能部分の隣接する端部にアクセスするようにしている。指がカートンの内側に位置して第１の取り外し可能部分に接触すると、指が第１の取り外し可能部分の下に引っかかって外方側に引っ張ることができるか、あるいは、親指及び他の指が第１の取り外し可能部分の端部を把持することができ、それによって第１の取り外し可能部分を取り除くために引き裂きを開始する。他の例として、引き裂き開始手段が、（他の形状を使用してもよいが）略半円形のタブを形成する切り取り線を備えており、該タブを通じて指孔が配置され、該指孔が略円形の切り欠き、ハーフカット線、あるいは他の切り取り線によって画成され、指が、切り欠きを通して、あるいは、切り取り線に圧力を作用させることによって（したがって、切り取り線によって囲まれたカートンの小さな略円形部分を変位させることによって）、カートンを貫通することができるようにしている。これらの実施例では、タブが、第１の取り外し可能部分の端部に一体とされ、かつ連続する部分となっている。したがって、指孔を介してタブを把持して引っ張ることにより、消費者は引き裂きストリップ全体を取り除くことができる。
【００２１】
上記記載は、本発明のより適した観点及び機能の一部を大まかに概説したものである。これらは、本発明のより顕著な機能及び作用の一部の単なる例示として解釈されるべきである。異なる様式で開示された情報を適用することにより、あるいは開示された実施例を修正することにより、他の有利な結果を得ることができる。したがって、特許請求の範囲によって規定される本発明の範囲に加えて、添付図面とともに例示的な実施例の詳細な説明を参照することにより、本発明の他の観点及びより広範囲の理解が得られうる。
【発明を実施するための最良の形態】
【００２２】
いくつかの図を通じて類似の符号が類似のエレメントを指している図面を参照すると、該図面は、本発明の特定の様々な観点を図示するカートンの例示的な実施例を示している。ここに記載された実施例において、カートンは、飲料缶のような物品を分配するためのものである。一般に、カートンは、板紙、段ボール、プラスチックなどのような折り曲げ可能なシート材料から形成されている。
【００２３】
図１に示された第１の実施例を参照すると、カートン２００は、板紙ブランク１００から形成されている。ブランク１００は、カートン２００を形成するための少なくとも４つの主要なパネルを含んでいる。ブランク１００の複数のパネルは、第１の底部パネル１０２と、第１の側部パネル１０４と、第２の側部パネル１０６と、頂部パネル１０８と、第２の底部パネル１１０とである。ブランク１００のパネル１０２、１０４、１０６、１０８及び１１０は、互いに折り曲げ可能に接続されている。底部パネル１０２は、折り曲げ線１１２によって第１の側部パネル１０４に折り曲げ可能に接続されている。第１の側部パネル１０４はそれから、折り曲げ線１１４によって頂部パネル１０８に折り曲げ可能に接続されている。第２の側部パネル１０６は、それから折り曲げ線１１６によって頂部パネル１０８に折り曲げ可能に接続されている。第２の底部パネル１１０は、それから折り曲げ線１１８によって第２の側部パネル１０６に折り曲げ可能に接続されている。図示された実施例では、単一のブランクが単一のカートンを形成するために使用されているが、以下でより詳細に説明されるディスペンサー構造を提供するために、例えば２つ以上のブランクが用いられてもよいことが認識されるべきである。
【００２４】
パネル１０２、１０４、１０６、１０８及び１１０のそれぞれは、横方向の折り曲げ線によって部分的に画成された対向する端部フラップあるいは端部壁パネルを含んでおり、該折り曲げ線は、ブランク１００の縦方向の各端縁に沿って連続して配置されている。カートン２００が組み立てられると、端部フラップ及び端部壁パネルは、端部閉塞構造を形成するように協働する。各端部閉塞構造は同一であり、したがって、カートンの一方の端部を他方から区別するために、「ａ」あるいは「ｂ」が添えられた類似の参照符号が使用されている。第１の底部パネル１０２は、折り曲げ線１２２ａに沿って端部フラップ１２０ａに折り曲げ可能に接続されている。第１の側部パネル１０４は、折り曲げ線１２６ａに沿って端部壁パネル１２４ａに折り曲げ可能に接続されている。第２の側部パネル１０６は、折り曲げ線１３０ａに沿って端部壁パネル１２８ａに折り曲げ可能に接続されている。頂部パネル１０８は、折り曲げ線１３４ａに沿って端部フラップ１３２ａに折り曲げ可能に接続されている。第２の底部パネル１１０は、折り曲げ線１３８ａに沿って端部フラップ１３６ａに折り曲げ可能に接続されている。
【００２５】
カートン２００を組み立てるため、開いた端部を有するチューブ状カートン２００の複合底部壁１０２／１１０を形成するように、第１の底部パネル１０２を、第２の底部パネル１１０に接着するか、あるいはさもなければ固定する。物品をグループ化して、カートン２００の開いた端部の一方または両方を通して詰め込んだ後、端部フラップ及び端部壁パネルを折り曲げて互いに固定し、カートン２００の対向する端部閉塞構造を形成する。端部フラップ１２０ａを端部フラップ１３６ａに固定する一方で、端部壁パネル１２４ａを端部壁パネル１２８ａに固定する。加えて、端部フラップ１２０ａ、１３２ａ及び１３６ａが、端部壁パネル１２４ａにかつ端部壁パネル１２８ａに固定されることによって、カートンの完全性を任意にサポートしてもよい。端部フラップ１２０ｂ、１３２ｂ及び１３６ｂと、端部壁パネル１２４ｂ及び１２８ｂとは、対向する端部閉塞構造を形成するために類似して協働する。（開いていない状態のカートン２００を示す）図２を参照すると、端部閉塞構造が、それぞれの端部壁２０２ａ及び２０２ｂ（図示せず）を形成している。
【００２６】
図面に示されたカートンは、類似サイズの（缶あるいはボトルのような）好ましくは円柱形物品のグループを、１つ以上の垂直に配置された段において保持するように適合されている。各段の物品は、平行に並んだ状態で横に配置されている。再び図２を参照すると、側部壁２０４及び２０６が、グループの物品の両端部に横づけで配置されている一方、カートンの各端部壁２０２ａ及び２０２ｂが、それぞれの末端の物品の側部壁に隣接して配置されている。
【００２７】
再び図１を参照すると、ブランク１００は、カートンが組み立てられたときに取り外し可能部分Ｔを画成する切り取り可能な切り離し線１４０を含んでいる。取り外し可能部分Ｔを画成するため、切り離し線１４０は、端部壁パネル１２４ａの末端縁から頂部パネル１０８の方へ略斜めに延び、側部パネル１０４への折り曲げ線１２６ａに交差し、側部パネル１０４の一部分を縦方向に交差するようにターンし、それから頂部パネル１０８の方へまっすぐにターンし、頂部パネル１０８を横方向に交差するように折り曲げ線１１４に交差し、それから側部パネル１０６への折り曲げ線１１６に交差し、端部壁パネル１２８ａの方へまっすぐにターンし、折り曲げ線１３０ａに交差し、端部フラップ１３２ａの方へ略斜めに延び、端部壁パネル１２８ａの末端縁で終端する。切り離し線１４０は、限定されないが、一連のミシン目、切り込み線、一連のショートスリット、一連のハーフカット、シングルハーフカットや、スリット、切り込み線、ハーフカット、あるいは同等物の任意の組み合わせを含んでいることが考えられる。
【００２８】
ブランク１００は、ユーザーがカートンを携行できるようにする適切な周知のハンドルＨをさらに備えている。
【００２９】
ブランク１００はまた、少なくとも１つの相対的に長くかつ相対的に幅狭の取り除き可能な引き裂きストリップ１４２を含んでおり、該引き裂きストリップ１４２は、第２の切り取り可能な切り離し線１４４によって画成され、該切り離し線１４４の少なくとも一部分は、切り離し線１４０に一致している。好ましい実施例では、図１に示されるように、引き裂きストリップ１４２における一方の側部全体を画成する切り離し線１４４の一部分、つまり引き裂きストリップ１４２の全長にわたるセグメントが、切り離し線１４０の上方端縁１４６に一致している。
【００３０】
ブランク１００は、図２及び３においてより詳細に示されて説明されるように、好ましくは、引き裂きストリップの端部を把持するための把持手段として機能するプッシュタブのような１つ以上の引き裂きあるいは切り離し開始手段１４８を含んでいる。
【００３１】
図２のカートンを開けるため、ユーザーは、切り離し開始手段１４８を介して引き裂きストリップ１４２をつかむ。ユーザーが引き裂きストリップ１４２の端部を把持すると、該ユーザーは、引き裂きストリップ１４２がカートン２００から完全に取り外されるまで、引き裂きストリップを側部壁２０４の一部分の上に引っ張り、頂部壁２０８を越えて引っ張り、かつ側部壁２０６の下に引っ張り、図３に示されるように、引き裂きストリップ１４２の幅を有するスペースあるいはギャップを残すようにする。
【００３２】
図３はまた、切り離し開始手段１４８の詳細を示している。図示された切り離し開始手段１４８は、切断線あるいは他の切り取り線３５２によって二分された略半円形あるいは三角形の領域（他の形状も使用されうる）を形成する切り込み線あるいは折り曲げ線３５０を備えているが、ユーザーが少なくとも１つの指を挿入できるようにするか、あるいはさもなければ引き裂きストリップ１４２の端部を把持するためのアクセスができるようにする任意の適切な構造が利用されうる。切断線３５２に圧力を作用させることは、フラップ３０２及び３０４をカートン内に折り曲げ、それによって指孔を生じさせ、該指孔を通して、挿入された指が、引き裂きストリップ１４２を完全に取り除くために該引き裂きストリップ１４２の端部にアクセスできるか、あるいは該引き裂きストリップ１４２の端部を引っ張ることができる。好ましくは、引き裂きストリップ１４２を取り除くことによって形成されたスペースの幅は、ユーザーが、取り外し可能部分Ｔの上方端縁１４６を把持するために、その後に該ユーザーの指全てを該スペースに挿入することができるように十分なものとされている。ユーザーはその後、図４に示されるように、取り外し可能部分Ｔを端部壁２０２ａの方へ引っ張り、それから取り外し可能部分Ｔ全体がカートン２００から完全に取り外されるまで下方側に引っ張る。
【００３３】
取り外し可能部分Ｔの取り外しは、開口部Ｏを画成し、互いに同一ではない側部壁凹所４０４及び４０６を形成する。むしろ、側部壁凹所４０４の最も下方のポイントは、複合底部壁１０２／１１０から、物品Ｃの直径の半分以下の距離で離れている。側部壁凹所４０６の最も下方のポイントは、複合底部壁１０２／１１０から、物品Ｃの直径以上の距離で離れている。したがって、凹所４０４の深さのため、側部壁２０４に隣接する物品の端部において物品Ｃを把持することにより、ユーザーは、カートン２００の最下方の段の物品に容易にアクセスできる。相対的により浅い凹所４０６は、カートン２００内に物品を保持するためのさらなる安定性及び能力を提供する。
【００３４】
前方端部壁２０２ａの下方部分は、側部壁パネル１０４及び１０６間の複合底部壁１０２／１１０から上方側に延びるストッパ壁４１２を形成している。切り離し線１４０の端部壁セクションによって画成されたようなストッパ壁４１２の上方端縁４１４は、折り曲げ線１３０ａでの（１つの物品の直径の１／２以下とされる）最下方のポイントから、折り曲げ線１２６ａでの（１つの物品の直径以上とされる）最上方のポイントまで、略斜めに傾斜している。したがって、ストッパ壁４１２は、最下方の段の物品Ｃが意図された取り出しの前にカートン２００を不注意に出ることを防止する。
【００３５】
図５及び６は、本発明の他のカートン６００を形成するためのブランク５００の代替実施例を示しており、類似の参照符号が、図５では接頭辞「５」とともに、図６では接頭辞「６」とともに使用されている。ブランク５００は、カートンが組み立てられたときに取り外し可能部分Ｔ２を画成する切り離し線５４０をブランク５００が含んでいることを除いて、上述したブランク１００に類似している。取り外し可能部分Ｔ２を画成するため、切り離し線５４０は、端部壁パネル５２４ａの末端縁から第１の底部パネル５０２には到達しないが第１の底部パネル５０２の方へ湾曲し、側部パネル５０４への折り曲げ線５２６ａに交差し、側部パネル５０４の一部分を縦方向に交差するようにターンし、それから頂部パネル５０８の方へまっすぐにターンし、頂部パネル５０８を横方向に交差するように折り曲げ線５１４に交差し、それから側部パネル５０６への折り曲げ線５１６に交差し、端部壁パネル５２８ａの方へまっすぐにターンし、それから折り曲げ線５３０ａに交差しつつ頂部パネル５０８には到達しないが該頂部パネル５０８の方へ湾曲し、端部壁パネル５２８ａの末端縁で終端する。
【００３６】
ブランク５００は、ユーザーがカートンを携行できるようにする適切な周知のハンドルＨ２をさらに備えている。
【００３７】
図６を参照すると、カートン６００は主に、カートン６００が上述した開口部Ｏとは異なる形状とされた開口部Ｏ２を有している点において、カートン２００とは異なっている。側部壁６０６を交差する切り離し線５４０のセグメント（以下「側部壁切り離し線」と称する）は、複合底部壁５０２／５１０の隣接する側部端縁に平行な底部端縁６０８を有する凹所６０６を画成しており、該底部端縁６０８は好ましくは、複合底部壁５０２／５１０から距離Ｒで離れ、該Ｒは、カートン６００によって囲まれた物品Ｃのそれぞれの直径の１／２以下とされている。したがって、凹所６０６の深さは、ユーザーが、取り出しのために各物品の両端部を把持することにより、最下方の段における物品Ｃにアクセスできるようにしている。側部壁切り離し線は、複合底部壁５０２／５１０よりも上に、一般にはカートン６００によって囲まれた物品Ｃのそれぞれの直径の１／２よりも大きいか、あるいは好ましくは略等しい距離をなすように、それぞれの側部壁６０６における端部壁６０２ａ（図示せず）との接続部に延びている。好ましくは、凹所６０６の垂直端縁６１０と端部壁６０２ａとの間の距離は、１つの物品Ｃの直径の２倍よりも大きく、最下方の段における少なくとも２つの物品Ｃを露出させ、それによって物品グループにおける最下方の段からの物品Ｃの取り出しを容易にするように位置している。
【００３８】
取り外し可能部分Ｔ２を取り除くか、あるいは取り外すことにより、カートンの端部部分が、物品のためのディスペンサー開口部Ｏ２を提供するように露出され、ユーザーは、最上方の段における物品にアクセスすることができる。さらにまた、前方端部壁６０２ａの下方部分は、側部壁６０４及び６０６間の複合底部壁５０２／５１０から上方側に延びるストッパ壁６１２を形成する。ストッパ壁６１２の上方端縁６１４は、切り離し線５４０の端部壁セクションによって画成されており、ストッパ壁６１２のみで、物品Ｃが意図された取り出しの前に最下方の段あるいは複数の段から不注意にカートン６００を出るのを防止でき、かつ、カートン６００の内容物は、ディスペンサー開口部Ｏ２を通して容易に見える。上方端縁６１４に沿った最上方のポイントは、複合底部壁５０２／５１０よりも上に、距離Ｓで離間しており、該Ｓは、１つの物品Ｃの直径よりも大きいか、あるいは好ましくは略等しい。距離Ｓは、距離Ｒよりも大きい。
【００３９】
図７、８及び９は、本発明の他のカートン８００を形成するためのブランク７００の代替実施例を示している。ブランク７００は、ブランク１００に類似しているが、引き裂きストリップ７４２として示された相対的により大きな第１の取り外し可能部分を含んでいる。引き裂きストリップ７４２は、切り離し線７４４によって画成され、切り離し線７４０に一致する一方の側部端縁が折り曲げ線７２４ａの一部分と折り曲げ線７３２ａの全部分と折り曲げ線７３８ａの一部分とを備えるように位置している。したがって、取り外し可能部分Ｔ３の上方端縁７４６はまた、折り曲げ線７２４ａの同一部分と折り曲げ線７３２ａの全部分と折り曲げ線７３８ａの同一部分とを備えている。
【００４０】
（少なくとも端部壁パネル７２４ａ及び７３６ａと端部フラップ７３２ａとの一部分を備えた）第２の取り外し可能部分Ｔ３を画成するため、切り離し線７４０は、端部壁パネル７２４ａの末端縁から（底部パネル７０２に到達することなく）底部パネル７０２の方へ湾曲し、折り曲げ線７２４ａをたどるようにして側部パネル７０４の端縁に沿って頂部パネル７０８の方へターンし、頂部パネル７０８の端縁に沿って側部パネル７０６の方へ折り曲げ線７３２ａをたどり、端縁フラップ７１０の方へ折り曲げ線７３８ａの一部分をたどり、それから端部フラップ７３２ａの方へ湾曲しつつ端部壁パネル７３６ａの末端縁の方へターンする。図８に示されるように、カートン８００が組み立てられると、取り外し可能部分Ｔ３が端部閉塞構造の上方部分を備え、該端部閉塞構造が端部壁８０２ａを備える。
【００４１】
ブランク７００はまた、タブ７５０とされる代替切り離し開始手段７４８を含んでおり、該タブ７５０を通して指孔７５２が配置され、該指孔７５２は、切断線あるいは切り離し可能な線７５４によって画成されている。したがって、把持手段７４８は、実質的にループである。図示されたタブ７５０は、半円形であるかあるいは丸みを有しているが、適切なサイズの指孔７５２を配置しうる任意の形状を用いることができる。引き裂きストリップ７４２を取り除くため、ユーザーは単に、指を指孔７５２内に挿入し、好ましくは中央セクションを変位させ、そして、把持手段７４８に一体とされた引き裂きストリップ７４２を引っ張る。
【００４２】
ブランク７００は、ユーザーがカートンを携行できるようにする適切な周知のハンドルＨ３をさらに備えている。
【００４３】
図９を参照すると、引き裂きストリップ７４２の取り除きは、開口部Ｏ３を生じさせ、該開口部Ｏ３を通して、最上方の段における末端の物品あるいは複数の物品にアクセスできるようになる。引き裂きストリップ７４２の取り除きはまた、ストッパ壁９１２を画成し、該ストッパ壁９１２は、取り外し可能部分Ｔ３と組み合わさって、引き裂きストリップ７４２の取り除きの後の最初の物品でさえも拘束する十分な高さ及び安定性があるという利点を有している。最初の物品がカートン８００から取り出された後、開口部Ｏ３は好ましくは、引き裂き線７４０に沿った取り外し可能部分Ｔ３の取り除きによって拡大されうる。
【００４４】
この実施例は、端部壁パネル７２４ａ上の切り込み線７５６及び７５８と端部壁パネル７３６ａ上の切り込み線７６０及び７６２との追加の利点を有している。これらの切り込み線は、ストッパ壁９１２と取り外し可能部分Ｔ３とを外方側へ屈曲させるかあるいはしならせるように撓ませ、ユーザーによる容易なアクセスのために物品を現す。切り込み線７５８及び７６０は、それぞれの端部壁パネル７２４ａ及び７３６ａに交差する切り離し線７４０の一部分と略平行である。切り込み線７５６は、端部壁パネル７２４ａの基端部から延び、切り込み線７５８から離れるように湾曲して、端部壁パネル７２４ａの側部で終端している。切り込み線７６２は、端部壁パネル７３６ａの基端部から延び、切り込み線７６０から離れるように湾曲して、端部壁パネル７３６ａの側部で終端している。
【００４５】
図１０〜２３は、物品を取り出すための開口部を画成する第１の取り外し可能部分と、可変的かつ可逆的に開口部を再構成してカートン内に物品を保持するように、撓み可能かつ少なくとも部分的に取り外し可能な少なくとも１つの第２の取り外し可能部分と、を有するカートンの例示的な実施例を示している。
【００４６】
図１０を参照すると、ブランク１０００は、切り取り線１０４０、１０４２、１０４４、１０４６、１０４８、１０７４及び１０７６を含んでおり、該切り取り線は、カートン１１００が組み立てられたときに、（図１１に示される）完全取り外し可能部分１０５０を画成する１つの連続切り離し線１１４０を形成するように協働し、該連続切り離し線１１４０は、頂部壁１１０８及び端部閉塞構造１１０２ａを交差するように部分的に延びている。切り離し線１１４０はまた、頂部壁１１０８及び端部閉塞構造１１０２ａを少なくとも部分的に交差するように延びている。切り取り線１０４４は、取り外し可能部分１０５０の上方セクションを画成し、これは、引き裂きの開始を容易にする１つ以上の水平切り込み線１０５２を好ましくは含んでいる。切り取り線１０４０、１０４２、１０４４、１０４６、１０４８、１０７４及び１０７６のそれぞれは、切り取り線１０４０、１０４２、１０４４、１０４６、１０４８、１０７４及び１０７６に沿った分離を容易にする一連の切り離し線あるいは任意の他の弱化線とされうる。切り離し線１１４０は、限定されないが、一連のミシン目、切り込み線、一連のショートスリット、一連のハーフカット、シングルハーフカットや、スリット、切り込み線、ハーフカット、あるいは同等物の任意の組み合わせを含んでいることが考えられる。
【００４７】
部分１０５０を画成するため、切り取り線１０４４は、端部フラップ１０３２ａの末端部から、折り曲げ線１０３４ａに交差して頂部パネル１００８の方へ向かうように延びていて、それからそれ自身に交差することなく再び折り曲げ線１０３４ａに交差して、同一の端部フラップ１０３２ａの末端部における他のポイントで終端するようにターンして戻っている。したがって、切り取り線１０４４は、折り曲げ線１０３４ａによって２回交差されている。切り取り線１０４２及び１０４６は、対向する側部パネル１００４及び１００６における端部壁パネル１０２４ａ及び１０２８ａのそれぞれに少なくとも部分的に交差するように延びており、それぞれの端部壁パネルの一方の側部端縁を起点とし、かつ、端部壁パネルの起点とされる側とは反対側の側部端縁で終端している。切り取り線１０４０及び１０４８のそれぞれは、端部フラップ１０２０ａあるいは１０３６ａのそれぞれの末端部から、その隣接するパネル１００２あるいは１０１０まで延びている。切り取り線１０７４及び１０７６は、取り外し可能部分１０５０の下方端部で解放している。
【００４８】
端部フラップ１０３２ａと隣接する折り曲げ線１０３４ａとに交差する切り取り線１０４４の一部分は、好ましくは互いに対して多少内方側にアーチ状となるかあるいは湾曲しており、部分１０５０が多少、端部フラップ１０３２ａの末端部でより幅狭となっている。図１１を参照すると、カートン１１００が組み立てられ、端部壁パネル１０２４ａ及び１０２８ａが折り曲げられて互いに固定されたときに、部分１０５０は、切り取り線１０４０、１０４２、１０４４、１０４６、１０４８、１０７４及び１０７６に沿って部分１０５４、１０５６、１０５８及び１０６０と協働して、第１の取り外し可能部分１０５０を画成する。切り取り線１０４０、１０４２、１０４４、１０４６、１０４８、１０７４及び１０７６は、カートン１１００の完全取り外し可能部分１０５０の周囲のまわりに連続あるいは循環切り取り線１１４０を画成するように組み合わさっている。
【００４９】
図１１に見ることができるように、カートン１１００からの物品の保持及び取り出しを容易にする可撓部分１１４２及び１１４４は、端部閉塞構造１１０２ａと頂部壁１１０８とそれぞれの隣接する側部壁１１０６あるいは１１０４との一部分からそれぞれ形成されている。少なくとも１つの分離手段１０６２、１０６４、１０６６及び１０６８が、切り取り線１０４０、１０４２、１０４４、１０４６、１０４８、１０７４及び１０７６によって形成された連続切り取り線１１４０から、各可撓部分１１４２、１１４４のそれぞれに隣接する側部壁１１０４、１１０６まで延びており、それによって、カートン１１００の可撓部分１１４２、１１４４の部分的な取り外しを可能にしている。
【００５０】
各分離手段１０６２、１０６４、１０６６及び１０６８は、完全取り外し可能部分１０５０の取り除きによって形成される開口部を通してユーザーが物品を取り出そうとしたときに、分離手段を有していないカートンに生じるであろう自然応力点に、あるいはその近くに位置している。好ましい実施例では、部分的取り外し可能な部分１１４２、１１４４の寸法及び位置がまた、カートン１１００内で囲まれた物品（図示せず）の寸法に関連している。部分的取り外し可能部分１１４２、１１４４のそれぞれは、距離Ｄ１として規定された深さを有しており、該距離Ｄ１は、それぞれの分離手段１０６４、１０６６から端部閉塞構造１１０２ａまで、それぞれの折り曲げ線１０１４、１０１６に沿って測定されている。距離Ｄ１は好ましくは、１つの円柱形物品の直径よりも小さいか、あるいはこれと略等しい。部分的取り外し可能部分１１４２、１１４４のそれぞれは、距離Ｄ２として規定された高さを有しており、該距離Ｄ２は、それぞれの分離手段１０６２、１０６８から頂部壁１１０８まで、折り曲げ線１０２６ａ、１０３０ａに沿って測定されている。距離Ｄ２も好ましくは、１つの円柱形物品の直径よりも小さいか、あるいはこれと略等しい。図１４、１６、１８、１９、２０及び２２に示された実施例における部分的取り外し可能部分の寸法は、同様に決定されていることに留意されたい。
【００５１】
撓み可能な第２の取り外し可能部分１１４２、１１４４の部分的な取り外しは、各側部壁１１０４、１１０６のそれぞれにおける折り曲げ線１０７０、１０７２に沿ったそれらの移動を許容する。部分的に取り外し可能な可撓部分１１４２は、切り取り線１０４６と分離手段１０６８と折り曲げ線１０７２と分離手段１０６６と切り取り線１１４０の一部とによって画成されている。同様に、部分的に取り外し可能な可撓部分１１４４は、切り取り線１０４２と分離手段１０６２と折り曲げ線１０７０と分離手段１０６４と切り取り線１１４０の一部とによって画成されている。
【００５２】
図１０及び１１に示された実施例の変更では、カートン１１００から物品を下から取り出すのを容易にするため、さらなる可撓部分が、端部閉塞構造１１０２ａと底部壁１００２／１０１０と隣接する側部壁１１０４、１１０６とから同様に形成されうる。
【００５３】
図１２に示されているように、ブランク１２００は、第１の取り外し可能部分１２５０と撓み可能かつ部分的に取り外し可能な少なくとも１つの第２の取り外し可能部分１３４２、１３４４とを有するカートン１３００を形成するための代替実施例である。少なくとも第１の取り外し可能部分１２５０のセクションは、上述した第１の取り外し可能部分１０５０の対応するセクションとは異なる形状である。ブランク１２００は、切り取り線１０４４によって画成される尖った上方端縁に対して切り取り線１２４４が鈍い上方端縁を画成していることと、完全取り外し可能部分１２５０の上方セクションに交差して延びる１つの折り曲げ線１２５２が引き裂き開始及び取り外しを補助することを除いて、上述したブランク１００に類似している。切り取り線１２４０、１２４２、１２４４、１２４６及び１２４８によって画成される可撓部分はまた、（図１４に示される）切り離し線１４４０の形状の変化のために、異なる形状を有している。
【００５４】
図１３は、ブランク１２００の代替実施例１３００を示している。切り取り線１３４０、１３４２、１３４４、１３４６及び１３４８によって画成される第１の取り外し可能部分１３５０は、上述した完全取り外し可能部分１２５０と同一の形状を有している。ブランク１３００は、折り曲げ線１３７０及び折り曲げ線１３７２のそれぞれが側部パネル１３０４及び１３０６のそれぞれを完全に交差するように延びていることから、対向する可撓部分を部分的に取り外すために２つの分離手段１３６４、１３６６のみが必要とされていることを除いて、上述したブランク１２００に類似している。折り曲げ線１３７０は、側部パネル１３０４を交差して分離手段１３６４から延び、折り曲げ線１３２６ａ及び１３１２の交差部で終端している。折り曲げ線１３７２は、側部パネル１３０６を交差して分離手段１３６６から延び、折り曲げ線１３３０ａ及び１３１８の交差部で終端している。この代替例は、潜在的により大きな可撓部分を生じさせ、消費者側にそれぞれの可撓部分を部分的に取り外すためのより少ない労力とより少ないステップとを要求する。この実施例の変更では、さらなる分離手段が、折り曲げ線１３２２ａ及び１３３８ａに沿って設けられうる。引き裂きの開始を容易にするため、少なくとも１つの折り曲げ線１３５２は、第１の取り外し可能部分１３５０の上方セクションを交差して延びていてもよい。
【００５５】
図１５及び１６は、第１の取り外し可能部分１１２を有するカートン１４００を形成するためのブランク１５００を示しており、該第１の取り外し可能部分１１２の取り除きは、商標のロゴあるいは対象物のシルエットのような装飾デザインとされうる創造的形状を有する開口部を生じさせる。ブランク１５００は、切り取り線１５４０、１５４２、１５４４、１５４６、１５４８、１５７４及び１５７６が、カートン１６００を組み立てたときに連続切り取り線１６４０を形成して、その形状が装飾デザインあるいは創造的形状を形成するように協働することを除いて、上述したブランク１０００、１２００及び１３００に類似している。図１７及び１８に示されるさらに他の代替実施例では、カートン１８００を形成するためのブランク１７００は、切り取り線１７４０、１７４２、１７４４及び１７４６によって取り外される完全取り外し可能部分１７５０を含んでおり、これら切り取り線は、カートン１８００を組み立てたときに連続切り取り線１８４０を形成して、完全取り外し可能部分１７５０を画成するように協働する。この実施例はまた、端部フラップ及び端部壁パネルの一部分のみから形成されるとともに端部閉塞構造１８０２ａを含む可撓部分１８４２、１８４４を含んでいる。図１８を参照すると、端部閉塞構造１８０２ａを形成するため、端部フラップ１７２０ａを、折り曲げ線１７２２ａに上方側垂直位置に沿って折り曲げる。端部フラップ１７３２ａを、折り曲げ線１７３４ａに沿って下方側垂直位置に折り曲げる。端部壁パネル１７２４ａ及び１７２８ａを、カートン１８００を閉じるためにそれぞれの折り曲げ線１７２６ａ及び１７３０ａに沿って互いの方へ向けて折り曲げる。これらの位置で、端部壁パネル１７２４ａ及び１７２８ａを、カートンの端部に交差するように重なり合う関係で互いに接着する。したがって、端部壁パネル１７２４ａ及び１７２８ａは、頂部及び底部端部フラップ１７３２ａ及び１７２０ａにほとんど完全に重なっている。しかしながら、端部フラップ１７３２ａには、各側部端縁にノッチが付けられ、頂部端部フラップ１７３２ａのノッチ付き部分が端部壁パネル１７２４ａ及び１７２８ａに対して望ましくなく接着するのを防止するようにしており、それによって、取り外し可能部分１７５０が取り除かれた後に残る頂部端部フラップ１７３２ａのノッチ付き部分を自動的に解放する。端部壁パネル１７２４ａは好ましくは、接着剤によって複合端部フラップ１７２０ａの一部に固定されている。同様に、端部壁パネル１７２８ａはまた、好ましくは、端部フラップ１７２０ａの一部に固定されている。
【００５６】
分離手段１７６４及び１７６６は、切り離し線１８４０から延びており、そして、各可撓部分１８４２、１８４４に隣接した側部壁１８０６あるいは１８０４に接するそれぞれの折り曲げ線１７２６ａ、１７３０ａで終端している。分離手段１７６４及び１７６６はしたがって、折り曲げ接続された端縁に沿った可撓部分１８４２、１８４４の可変的かつ可逆的な移動を可能にしており、該折り曲げ接続された端縁は、それぞれの端部壁パネル１７２４ａ、１７２８ａの残りのセクションを隣接する側部壁１７０４、１７０６に対して接続している。
【００５７】
この実施例の観点によれば、可撓部分１８４２、１８４４は、好ましくは部分的に取り外し可能であり、したがって自動的に多少撓み可能とされている。消費者は、切り離し線１８４０を介して完全取り外し可能部分１７５０を最初に取り除く。図面に示された実施例のバージョンでは、消費者が、完全取り外し可能部分１７５０を把持して取り除くために引き裂き開始手段１７４８を利用しうる。この点で、カートン１８００が開き、末端の物品が消費者に露出する。末端の物品を把持すると同時に、消費者は好ましくは、開口部から物品を引っ張り、それによって可撓部分１８４２、１８４４を外方側に変位させる。消費者がカートン１８００から物品を取り除いている間、可撓部分１８４２、１８４４は、物品の解放を許容する開口部を拡大するように撓んでいる。しかしながら、一旦物品が取り出されると、可撓部分１８４２、１８４４は、カートン１８００内の残りの物品を保持するために実質的に最初の位置へと戻る。
【００５８】
カートン１８００の複合端部フラップ１７２０ａは、略半円形とされうるノッチ１７７０を含んでおり、該ノッチは、完全取り外し可能部分１７５０が取り除かれた後に残って、カートン１８００の底部から物品を把持するのに役立つ、親指あるいは指を挿入するための消費者にとってのさらなるアクセスポイントを提供するように少なくとも部分的に機能し、また、該複合端部フラップ１７２０ａは、完全取り外し可能部分１７５０が取り除かれた後に残る端部壁パネル１７２４ａ及び１７２８ａにおける可撓部分１８４２、１８４４及び下方部分１８４６、１８４８とともに、カートン１８００内の物品を拘束するようにも機能することが認められる。また、上方端部フラップ１７３２ａは、いずれの末端のコーナーにもノッチが付けられており、可撓部分１７４２、１７４４に対する上方端部フラップ１７３２ａの重なりを最小化するとともに望ましくない接着を防止するようにしていることに留意すべきである。したがって、消費者が新しく開けられたカートン１８００から物品を最初に取り出すときには、最小の重なりと分離手段１７６４、１７６６とのため、可撓部分１７４２、１７４４を部分的に取り外すために最小の力が要求される。
【００５９】
分離手段１７６４及び１７６６は、ユーザーが完全取り外し可能部分１７５０の取り除きによって形成される開口部を通して物品を取り出そうとしたときに、分離手段を有していない類似のカートンに生じるであろう自然応力点に、あるいはその近くに位置している。好ましい実施例では、可撓部分１７４２、１７４４の寸法及び位置はまた、カートン１８００内で囲まれた物品の寸法に関連している。可撓部分１７４２、１７４４のそれぞれは、折り曲げ線１７２６ａ、１７３０ａに沿って測定された、それぞれの分離手段１７６４、１７６６から頂部壁１８０８までの距離Ｄ２として規定された高さを有している。距離Ｄ２は、好ましくは、１つの円柱形物品の直径よりも小さいか、あるいはこれに略等しい。
【００６０】
カートン１８００からの第１の取り外し可能部分１７５０の取り除きは、物品を分配するための開口部を画成し、かつ、物品を選択的に保持して該物品の分配を容易にするための可撓部分１８４２、１８４４の端縁を画成する。取り外し可能部分１０５０を取り除くのと同時に、図１９に示されているように、物品Ｃは、可撓部分１１４２と可撓部分１１４４とにより、カートン１９００から開口部を通じて偶発的に転がり出ることが防止される。下方の物品Ｃ２は、取り外し可能部分１０５０が取り除かれた後に残る端部閉塞構造１１０２ａの下方部分によって拘束される。図２０に示されるように、末端の物品Ｃは、開口部を通して取り出されることができ、該開口部は、連続切り取り線１１４０によって画成された取り外し可能部分１０５０（図示せず）を取り除くことによって画成され、可撓部分１１４２、１１４４の位置を変えることによって該開口部を拡大するように再構成されている。
【００６１】
分離手段１０６２、１０６４、１０６６、１０６８は、好ましくは、切り離し線１１４０よりも極度により弱化しており、隣接する壁からの部分的取り外し可能部分１１４２、１１４４のより容易な分離を許容している。図２０に示されているように、部分的取り外し可能部分１１４２、１１４４はそれから、それぞれの折り曲げ線１０７２、１０７０の軸線まわりに旋回することができ、可変的かつ可逆的に開口部を拡大して、カートンからの末端の物品の取り出しを容易にする。したがって、部分的取り外し可能部分１１４２、１１４４は、図１８に示される最初の位置まで旋回して戻ったときに、カートン内の残りの物品を再び拘束することができる。
【００６２】
図２１〜２３は、第１の取り外し可能部分が、有利には、撓み可能な１つの第２の取り外し可能部分と剛体保持手段とに対して組み合わされうることを示している。
【００６３】
ブランク２１００は、切り取り可能な切り離し線２１２２ａ、２１４２、２１４４、２１４６、２１４８及び２１７６を含んでおり、該切り離し線は、カートンが組み立てられたときに、取り外し可能部分２１５０を画成する、連続した切り取り可能な切り離し線２２４０（図２２に示す）を形成している。折り曲げ線２１２２ａはまた、取り外し可能部分２１５０の取り除きのための切り離し線としても機能し、したがって、切り離し線２１２２ａとしても参照する。切り離し線２１４２は、折り曲げ線２１２６ａと端部壁パネル１２４ａの基端縁との交差部から延び、端部フラップ２１３２ａに隣接する端部壁パネル２１２４ａの側部で終端している。切り離し線２１４２の曲率、形状、および／または向きは、好ましくは、カートン２２００内の物品を最適に保持するように部分的に規定され、そして任意には、自動パッケージング機械に取り付けられる接着剤ガンなどの最適な数の接着剤アプリケーターの使用して、カートン２２００の端部フラップ２１２０ａ／２１３６ａ、２１３２ａ及び端部壁パネル２１２４ａ、２１２８ａに沿った予め規定されたインターバルでの必要な接着剤の直線状塗布が容易になるように構成されていることを、当業者は認めるであろう。これらの目的の一方または両方を達成する切り離し線２１４２の任意の曲率、形状、あるいは向きを使用することができる。切り離し線２１４４は、端部フラップ２１３２ａの末端縁から、折り曲げ線２１３４ａに交差して頂部壁２１０８の方へ向かうように延びていて、そしてそれ自身に交差することなく再び折り曲げ線２１３４ａに交差し、端部フラップ２１３２ａの末端縁における他のポイントで終端するようにターンして戻っている。端部フラップ２１３２ａと隣接する折り曲げ線２１３４ａとの交差する切り離し線２１４４の部分は、好ましくは互いに対して多少内方側にアーチ状となるかあるいは湾曲しており、部分２１４４が端部フラップ２１３２ａの末端部において最も幅狭となっている。切り離し線２１４６は、端部壁パネル２１２８ａに交差して横方向に延びている。切り離し線２１４８は、端部フラップ２１３６ａの末端縁から端部フラップ２１３６ａの基端縁まで縦方向に延び、折り曲げ線２１３８ａで終端している。切り離し線２１７６は、好ましくは折り曲げ線２１３８ａの一部に一致している。
【００６４】
特定の実施例では、取り外し可能部分２１５０とともに端部フラップ２１３６ａの一部の取り出しを容易にするため、かつ、端部フラップ２１２０ａに端部フラップ２１３６ａを固定するために使用される接着剤あるいは他の手段の分離を阻止するため、切り離し線２１４８が他の切り離し線よりも相対的に弱い、及び／または、接着剤が切り離し線２１４８よりも相対的に強力であってもよい。
【００６５】
ブランク２１００は、ユーザーがカートンを携行できるようにする適切な周知のハンドルＨをさらに備えている。特定の実施例はまた、折り曲げ線２１５２のような１つ以上の水平切り込み線を含んでおり、取り外し可能部分２１５０の取り外しのための引き裂きの開始を容易にしている。
【００６６】
特定の実施例では、可撓部分２２０４の寸法及び位置はまた、カートン２２００内で囲まれる物品の寸法に関連している。可撓部分２２４２は、折り曲げ線２１１４に沿って測定された分離手段２１６４から端部壁２２０２ａまでの距離Ｄ１として規定された深さを有している。距離Ｄ１は、好ましくは、１つの円柱形物品の直径よりも小さいか、あるいはこれと略等しい。可撓部分２２４２は、距離Ｄ２として規定された高さを有しており、該距離Ｄ２は、好ましくはカートン２２００の総高さの少なくとも一部分に等しく、さらに好ましくは１つの円柱形物品の直径に対してカートン２２００によって囲まれた物品グループにおける物品の段の数をかけた値に略等しい。
【００６７】
図２３に示されうるように、可撓部分２２４２の部分的な取り外しが、それぞれの側部壁２２０４の折り曲げ線２１７０（図２１及び２２に示されている）に沿ったその移動を許容し、それによって、物品の取り出しのために物品の端部へアクセスすることを容易にする。保持手段の可撓部分２２４２は、切り離し線２１４２の少なくとも一部分と分離手段２１６４と折り曲げ線２１７０と切り離し線２１４４の一部分とによって画成されている。剛体部分２２２６は、カートン２２００を補強し、かつ、頂部壁２２０８及び複合底部壁２１０２／２１１０に対して撓まない折り曲げ接続部を維持することにより、一定の物品保持を提供する。
【００６８】
本発明の観点によれば、可撓部分２２４２は、部分的に取り外し可能とされていてもよく、したがって、自動的に多少撓み可能とされている。消費者は、連続切り取り線２２４０を介して取り外し可能部分２１５０を最初に取り除く。この点で、カートン２２００が開き、消費者に対して末端の物品が露出する。末端の物品を把持するのと同時に、消費者は、好ましくは可撓部分２２４２の方へ物品を押し込み、それにより、分離手段２２０８を介して可撓部分２２４２を折り曲げ線２１７０に沿って外方側に変位させる。消費者がカートン２２００から物品を取り出したとき、可撓部分２２４２は、したがって、物品の解放を許容するために開口部を拡大するように撓む。剛体部分２２２６は、第１の物品が取り出されている間に、カートン内の隣の物品を同時に保持する。折り曲げ線２１７０は、好ましくは、折り曲げ線を画成して可撓部分２２４２の撓みを容易にし、かつ側部壁２２０４の弾性及び復元をを保つのに必要な深さで切り込まれているのみであり、隣の物品が保持手段の剛体部分２２２６を逃れる機会を有する前に、可撓部分２２４２が適所に跳ね返って戻るようにする。したがって、一旦物品が取り出されると、可撓部分２２０４は、実質的に最初の位置へと戻り、カートン２２００内の残りの物品を保持する。分離手段２１６４は好ましくは、部分的に取り外し可能な可撓部分２２４２の側部壁２２０４からの容易な分離を許容するように、連続切り取り線２２４０の残りよりも極度に弱化している。図２３に示されるように、部分的に取り外し可能な可撓部分２２０４はそれから、折り曲げ線２１７０の軸線まわりに旋回されうる。
【００６９】
カートン２２００からの取り外し可能部分２１５０の取り除きは、物品を分配するための開口部を画成する。例えば、図２３に示されるように、物品グループの最上方の段における末端の物品が、連続切り取り線２２４０によって画成された取り外し可能部分２１５０の取り除きによって画成される開口部を通じて取り出されうる。物品は、物品の一方の端部においては可撓部分２２４２により、物品の反対側の端部においては剛体部分２２２６により、開口部を通じてカートンから偶発的に転がり出ることを防止される。最下方の段の物品は、剛体部分２２２６の下方部分によって拘束される。
【００７０】
上述したそれぞれの例示的なカートン２００、６００、８００、１１００、１４００、１６００、１８００、２２００は、少なくとも３つの隣接するカートン壁を含んでいる。切り離し線によって画成された取り外し可能部分１４２、５４２、７４２、１０５０、１２５０、１３５０、１５５０、１７５０、２１５０は、少なくとも第１及び第２の壁から形成されている。第１の壁は、端部壁あるいは頂部壁とされうる。第２の壁は、頂部壁あるいは側部壁とされうる。第３の壁は、側部、頂部、あるいは端部壁とされうる。特定の実施例では、少なくとも１つの分離手段が、切り離し線から第３の壁まで延びており、取り除き可能部分に隣接するカートンの撓み可能な第２の取り外し可能部分の撓み移動を容易にする。可撓部分は、少なくとも部分的に取り外し可能であり、また、少なくとも１つの分離手段によって少なくとも部分的に、かつ、第３の壁の端縁にあるいは端縁で形成された折り曲げ線によって少なくとも部分的に画成されている。分離手段は、２つの隣接する壁間の切り離し線あるいは摩擦ジョイントとされうる。特定の実施例では、第１の取り外し可能部分が、第２の壁に対向する第４の壁に延びている。
【００７１】
しかしながら、特に収容及び冷蔵ユニットの構造に関し、消費者の必要に応じてエレメントの向きが変更されうることが理解されるべきである。一例として、用途に応じて、カートンの第１の取り外し可能部分が、側部及び端部パネルを交差するように延びていてもよいし、１つ以上の可撓部分が、頂部パネル及び端部パネルに折り曲げ可能に接続されていてもよい。さらにまた、カートン２２００は、該カートンの一方の側部に実質的に形成された単一の可撓部分が、カートン内の物品を分配して保持するのに効果的であることを示している。
【００７２】
図２４〜３２を参照することにより、第１の取り外し可能部分が第１の切り離し線によって画成され、また、第２の取り外し可能部分が切り離し線、分離手段、及び折り曲げ線を含む任意のエレメントの組み合わせによって画成されていて、第２の取り外し可能部分が、完全に取り外し可能あるいは部分的に取り外し可能で屈曲性を得るために折り曲げ線あるいは他の手段に関して撓み可能とされるようにしてもよいことが理解される。
【００７３】
一般に、カートン１０、１２及び１４は、板紙ブランクのような折り曲げ可能なシート材料から形成されている。カートン１０は、図２４に示されるように構成された板紙ブランク１６から形成される。ブランク１６は、カートン１０を形成するための少なくとも４つの主要なパネルを含んでいる。ブランク１６の複数のパネルは、底部パネル１８と第１の側部パネル２０と第２の側部パネル２２と頂部パネル２４とである。図２４に示されているように、ブランク１６の複数のパネルは、互いに連続して折り曲げ可能に接続されている。底部パネル１８は、折り曲げ線３０によって第１の側部パネル２０に折り曲げ可能に接続されている。第１の側部パネル２０は、それから折り曲げ線３２によって頂部パネル２４に折り曲げ可能に接続されている。第２の側部パネル２２は、それから折り曲げ線３４によって頂部パネル２４に折り曲げ可能に接続されている。
【００７４】
パネル１８、２０、２２及び２４のそれぞれは、横方向の折り曲げ線２６及び２８によって画成された対向する端部フラップを含んでいる。折り曲げ線２６及び２８はそれぞれ、ブランク１６の全長を延びている。第１の側部パネル２０は、対向する端部フラップ３８及び４０を含み、第２の側部パネル２２は、対向する端部フラップ４２及び４４を含んでいる。カートン１０を組み立てるため、開いた端部を有するチューブ状カートン１０を形成するように、底部パネル１８を端縁フラップ２８によって側部パネル２２に接着するか、あるいはさもなければ固定し、該端縁フラップ２８は、折り曲げ線３６によって第２の側部パネル２２に折り曲げ可能に接続されている。物品をグループ化して、カートン１０の開いた端部の一方または両方を通して詰め込んだ後、端部フラップを折り曲げて互いに固定し、カートン１０の対向する端部閉塞構造を形成する。端部フラップ４０を端部フラップ４４に固定する一方、端部フラップ３８を端部フラップ４２に固定する。
【００７５】
部分５４及び５６は、互いに対して類似して構成されている。部分５４及び５６を画成するため、切り取り線５０及び５２がそれぞれ、端部フラップ３８及び４２の末端部からそれぞれ延びている。各切り取り線５０、５２は、折り曲げ線２６に交差して側部パネル２０、２２の一方のそれぞれへ延びていて、それから、それぞれの側部パネルでまわり、該切り取り線が始まる端部フラップの末端部で終端するようにターンして戻っている。したがって、各切り取り線５０、５２は、折り曲げ線２６によって２回交差されている。
【００７６】
端部フラップ３８、４２と隣接する折り曲げ線２６とに交差する切り取り線５０、５２の部分は、好ましくは互いに対して多少内方側にアーチ状とされており、部分５４及び５６が端部フラップ３８及び４２の末端部で最も幅狭となっている。また、側部パネル２０及び２２における部分５４及び５６のそれぞれは、好ましくは略三角形形状である。カートン１０が組み立てられて、端部フラップ３８及び４２が折り曲げられて互いに固定されたとき、部分５４及び５６は、図２５に示される第１の取り外し可能部分５８を画成するように、切り取り線５０、５２に沿って互いに協働する。切り取り線５０、５２は、カートン１０の第１の取り外し可能部分５８の周囲のまわりに連続あるいは循環切り取り線を画成するように組み合わさっている。
【００７７】
図２６及び２７は、ブランク６０の代替実施例を示しており、該ブランク６０は、上述した第１の取り外し可能部分５８とは異なる形状の第１の取り外し可能部分６２（図２７）を有するカートン１２を形成するためのものである。ブランク６０は、端部フラップ３８、４２と側部パネル２０、２２とに交差する切り取り線６４及び６６が部分６８及び７０を画成していることを除いて、上述したブランク１６に類似している。部分６８及び７０は、互いに類似して構成されており、かつ、図２７に示されるように、端部フラップ３８、４２が折り曲げられて第１の取り外し可能部分６２を画成するために互いに固定されたときに、切り取り線６４、６６に沿って互いに協働する。切り取り線６４、６６は、カートン１２の第１の取り外し可能部分６２の周囲のまわりに連続あるいは循環切り取り線を画成するように組み合わさっている。
【００７８】
部分６８及び７０を画成するため、切り取り線６４及び６６が、端部フラップ３８及び４２の末端部のそれぞれから延びている。各切り取り線６４及び６６は、折り曲げ線２６に交差して側部パネル２０、２２の一方のそれぞれへ延びていて、それから、それぞれの側部パネルでまわって、該切り取り線が始まるそれぞれの端部フラップの末端部で終端するようにターンして戻っている。したがって、代替実施例では、各切り取り線６４、６６が、折り曲げ線２６によって２回交差されている。
【００７９】
端部フラップ３８、４２を交差する切り取り線６４、６６の部分は、好ましくは互いに平行である。また、側部パネル２０、２２上での部分６８、７０のそれぞれは、好ましくは、丸み付きのコーナーを有する四角形形状である。各部分６８、７０はまた、折り曲げ線２６との交差部のため、先端が切られた部分を有している。しかしながら、各部分６８、７０は、それぞれの側部パネル２０、２２上で方向付けられていて、切り取り線６４、６６によって画成される各部分６８、７０の一対の対向するコーナーの湾曲が、カートン１２の頂部及び底部に対して上方及び下方の尖りをそれぞれ提供するようにしている。上方及び下方の尖りは、上段からの末端の物品がカートンから取り出されるときに、後述するように頂部パネル２４の方へ向けて上方側に延びるさらなる切り取り可能なセグメントあるいは線を必然的に利用することなく、側部パネル２０、２２の自然な引き裂きを促進する。部分６８及び７０のそれぞれは、さらに好ましくは、切り取り線６４、６６に沿ったカートン１２からの取り外し可能部分６２の取り除きを開始するために、押し込んだり、引っ張り出したりすることができるタブ７２を含んでいる。
【００８０】
図２８及び２９は、ブランク７４の第２の代替実施例を示しており、該ブランク７４は、上述した第１の部分５８あるいは６２のいずれとも異なる形状の第１の取り外し可能部分７６（図２９）を有するカートン１４を形成するためのものである。ブランク７４は、部分８４及び８６を画成するために、側部パネル２０、２２の端部フラップ３８、４２を交差する切り取り線７８及び８２を含んでいる。部分８４及び８６は、互いに類似して構成されている。部分８４及び８６は、端部フラップ３８、４２が折り曲げられて図９に示すような第１の取り外し可能部分７６を画成するために互いに固定されたときに、切り取り線７８、８２に沿って互いに協働する。切り取り線７８、８２は、カートン１４の第１の取り外し可能部分７６の周囲のまわりに連続あるいは循環切り取り線を画成するように組み合わさっている。
【００８１】
部分８４及び８６を画成するため、切り取り線７８及び８２は、端部フラップ３８及び４２の末端部のそれぞれから延びている。各切り取り線７８及び８２は、折り曲げ線２６に交差して側部パネル２０、２２の一方のそれぞれへ延びていて、それから、それぞれの側部パネルでまわって、該切り取り線が始まるそれぞれの端部フラップの末端部で終端するようにターンして戻っている。したがって、各切り取り線７８、８２は、折り曲げ線２６によって２回交差されている。
【００８２】
図２８に最もよく示されているように、切り取り線７８及び８２のセグメント７８ａ及び８２ａは、側部パネル２０、２２上で折り曲げ線２６から折り曲げ線３０及び３６のそれぞれの方へ向かって内方側に延びており、切り取り線７８、８２のセグメント７８ａ及び８２ａと折り曲げ線３０、３６との間の距離は、折り曲げ線２６からの距離が増大するのにつれて狭くなっている。また、折り曲げ線２６から内方側へ延びるとともに折り曲げ線３２及び３４に隣接する、切り取り線７８及び８２のセグメント７８ｂ及び８２ｂは、折り曲げ線３２及び３４から多少離れるようなアーチ状とされている。しかしながら、折り曲げ線２６からおおよそ最も離れたセグメント７８ｂ及び８２ｂの部分は、頂部パネル２４に近接する上方の尖りを画成するように、折り曲げ線３２及び３４の方へターンして戻り、該上方の尖りは、上段からの末端の物品がカートンから取り出されるときに、さらなる切り取り可能なセグメントあるいは線をさらなる切り取り可能なセグメントあるいは線を必然的に利用することなく側部パネル２０及び２２の自然な引き裂きを容易にする。
【００８３】
カートン１０、１２及び１４からの第１の変位可能な部分５８、６２及び７４を部分的にあるいは完全に取り除くことは、物品を分配するための開口部を画成する。例えば、図３０に示されるように、物品の上方あるいは下方段における末端の物品は、第１の取り外し可能部分５８の取り除きによって画成された開口部を通して取り出されうる。物品は、上方端縁８８及び下方端縁９０により、開口部を通じてカートン１０から偶発的に転がり出ることを防止される。下方端縁９０は、第１の変位可能な部分５８の取り出しの後における端部フラップ３８及び４２の残りの部分によって形成されている。開口部はまた、図３０に示されるように、カートン内における物品の上方段を拘束する上方端縁８８によっても画成されている。上方端縁８８はまた、第１の変位可能な部分５８の取り除きの後における端部フラップ３８及び４２の残りの部分によって形成されている。
【００８４】
各カートン１０及び１２はまた、頂部パネル２４に交差して各側部パネル２０、２２間に延びる切り取り線９２を含んでいる。しかしながら、本発明のカートン１０及び１２は、その代わりに、図２９に示されるカートン１４のように切り取り線９２なしで形成されていてもよい。また、カートン１４は、その代わりに、カートン１０及び１２のような切り取り線９２を有するように形成されていてもよい。
【００８５】
切り取り線９２を含む場合、頂部パネル２４における切り取り線９２は、カートン１０、１２の排出端部から変位される。切り取り線９２は、側部パネル２０、２２における第１の取り外し可能部分５８あるいは６２で終端しており、上記の第１の取り外し可能部分５８あるいは６２に接する第２の取り外し可能部分９４を部分的に画成する。第２の取り外し可能部分９４は、したがって、カートンの上方段における末端の物品を保持するための、図３０に示すような上方端縁８８を含んでいる。
【００８６】
しかしながら、側部パネル２０、２２における切り取り線９２のセグメント９２ａ、９２ｂは、図２４に最もよく示されているように、好ましくは、側部パネル２０、２２からの第２の取り外し可能部分９４の容易な分離を許容するように、頂部パネル２４の切り取り線９２の残りよりも極度に弱化している。第２の取り外し可能部分９４は、したがって、切り取り線９２の残りが頂部パネル２４を交差する引き裂かれていない部分を残して折り曲げ部を生じさせるように、カートンから少なくとも部分的に取り外されてもよい。第２の取り外し可能部分９４は、図３１に示されるように、カートンからの上方段における末端の物品の取り出しを容易にするように開口部を拡大するため、上方側に旋回されてもよい。しかしながら、第２の取り外し可能部分９４は、最初の位置へ旋回して戻ったときに、上方段における残りの物品をまだ拘束することができる。あるいは、図３２に示されるように、第２の取り外し可能部分９４はまた、物品を分配するための開口部を拡大するようにカートンから完全に取り除かれてもよい。いずれにせよ、物品を分配するための開口部は、それから、切り取り線９２に沿った分離の後に、頂部パネル２４に交差するようにして下方端縁９０及び上方端縁８８（図３２）間に画成される。第１の取り外し可能部分５８あるいは６２を取り外すことによって画成された開口部と、第２の取り外し可能部分９４とは、上方かつ下方段の両方からの末端の物品がカートンの端部から実質的に同時に取り出されるのを許容するように構成されている。
【００８７】
本発明は、限定的というよりはむしろ、あらゆる点において実例となる特定の実施例に関して説明されている。当業者は、本発明が本発明の範囲から逸脱することなく多くの修正変更が可能なものであることを認識するであろう。したがって、本発明の範囲は、この文書に添付された請求項によって記載され、前述の記載によってサポートされている。
【図面の簡単な説明】
【００８８】
【図１】本発明の１つの実施例による、第１の取り外し可能部分と第２の取り外し可能部分とを有するカートンを形成するためのブランクの平面図である。
【図２】把持手段の詳細を示す、図１のブランクから形成されたカートンの斜視図である。
【図３】第１の取り外し可能部分の取り除きを示す、図１のブランクから形成されたカートンの第２の斜視図である。
【図４】第１及び第２の取り外し可能部分を取り除くことによって開けられた、図１のブランクから形成された本発明のカートンの斜視図である。
【図５】第１の取り外し可能部分と第２の取り外し可能部分とを有するブランクの代替実施例の平面図である。
【図６】第１及び第２の取り外し可能部分を取り除くことによって開けられた、図５のブランクから形成された本発明のカートンの斜視図である。
【図７】第１の取り外し可能部分と第２の取り外し可能部分とを有し、該第２の取り外し可能部分が撓み可能とされたブランクの第３の代替実施例の平面図である。
【図８】図７のブランクから形成されたカートンの斜視図である。
【図９】図７のブランクから形成され、かつ、第１の取り外し可能部分を取り除くことによって開けられれた図９のカートンの斜視図である。
【図１０】第１の取り外し可能部分と撓み可能かつ部分的に取り外し可能な少なくとも１つの第２の取り外し可能部分とを有するカートンを形成するためのブランクの実施例の平面図である。
【図１１】図１０のブランクから形成されるカートンの斜視図である。
【図１２】第１の取り外し可能部分と撓み可能かつ部分的に取り外し可能な少なくとも１つの第２の取り外し可能部分とを有するカートンの代替実施例を形成するためのブランクの平面図である。
【図１３】第１の取り外し可能部分と撓み可能かつ部分的に取り外し可能な少なくとも１つの第２の取り外し可能部分とを有するカートンの第３の代替実施例を形成するためのブランクの平面図である。
【図１４】図１２のブランクから形成された本発明のカートンの斜視図である。
【図１５】第１の取り外し可能部分と撓み可能かつ部分的に取り外し可能な少なくとも１つの第２の取り外し可能部分とを有するカートンの第４の代替実施例を形成するためのブランクの平面図である。
【図１６】図１５のブランクから形成された本発明のカートンの斜視図である。
【図１７】第１の取り外し可能部分と撓み可能かつ部分的に取り外し可能な少なくとも１つの第２の取り外し可能部分とを有するカートンの第５の代替実施例を形成することのためのブランクの平面図である。
【図１８】図１７のブランクから形成された本発明のカートンの斜視図である。
【図１９】カートンから物品を分配するための開口部を画成するために、完全取り外し可能部分がそこから取り外された図１２のカートンの斜視図である。
【図２０】完全取り外し可能部分を取り除くことによって開けられ、かつ、カートンから物品を分配するのを容易にするために開口部を可変的かつ可逆的に拡大するように可撓部分が部分的に取り外された図１２のカートンの斜視図である。
【図２１】第１の取り外し可能部分と撓み可能かつ部分的に取り外し可能な少なくとも１つの第２の取り外し可能部分とを有するカートンの第６の代替実施例を形成するためのブランクの１つの実施例の平面図である。
【図２２】図２１のブランクから形成された本発明のカートンの斜視図である。
【図２３】取り外し可能部分を取り除くことによって開けられ、かつ、カートンから物品を分配するのを容易にするために開口部を可変的かつ可逆的に拡大するように可撓部分が部分的に取り外された図２２のカートンの斜視図である。
【図２４】第１の取り外し可能部分と撓み可能かつ部分的あるいは完全に取り外し可能な少なくとも１つの第２の取り外し可能部分とを有するカートンの１つの実施例の平面図である。
【図２５】図２４のブランクから形成されたカートンの斜視図である。
【図２６】第１の取り外し可能部分と撓み可能かつ部分的あるいは完全に取り外し可能な少なくとも１つの第２の取り外し可能部分とを有するカートンの代替実施例の平面図である。
【図２７】図２６のブランクから形成された本発明のカートンの斜視図である。
【図２８】第１の取り外し可能部分と撓み可能かつ少なくとも部分的に取り外し可能な少なくとも１つの第２の取り外し可能部分とを有するカートンの実施例の平面図である。
【図２９】図２８のブランクから形成された本発明のカートンの斜視図である。
【図３０】カートンから物品を分配するための開口部を画成するために、その部分がそこから取り外された図２７のカートンの斜視図である。
【図３１】カートンから物品を分配することのための開口部を拡大するために、カートンから部分的に取り外された第２の部分を有する図２７のカートンの斜視図である。
【図３２】カートンから物品を分配するための開口部を再画成するために、カートンから完全に取り外された第２の部分を有する図２７のカートンの斜視図である。
【符号の説明】
【００８９】
１００  ブランク
１０２  第１の底部パネル
１０４  第１の側部パネル
１０６  第２の側部パネル
１０８  頂部パネル
１１０  第２の底部パネル
１２０ａ，１２０ｂ  端部フラップ
１２４ａ，１２４ｂ  端部壁パネル
１２８ａ，１２８ｂ  端部壁パネル
１３２ａ，１３２ｂ  端部フラップ
１３６ａ，１３６ｂ  端部フラップ
２００  カートン
２０２ａ，２０２ｂ  端部壁
２０４，２０６  側部壁
１４０  切り離し線
１４２  引き裂きストリップ
１４４  切り離し線
１４８  切り離し開始手段
Ｔ  取り外し可能部分
【図１】
2007511438.tif 000003
【図２】
2007511438.tif 000004
【図３】
2007511438.tif 000005
【図４】
2007511438.tif 000006
【図５】
2007511438.tif 000007
【図６】
2007511438.tif 000008
【図７】
2007511438.tif 000009
【図８】
2007511438.tif 000010
【図９】
2007511438.tif 000011
【図１０】
2007511438.tif 000012
【図１１】
2007511438.tif 000013
【図１２】
2007511438.tif 000014
【図１３】
2007511438.tif 000015
【図１４】
2007511438.tif 000016
【図１５】
2007511438.tif 000017
【図１６】
2007511438.tif 000018
【図１７】
2007511438.tif 000019
【図１８】
2007511438.tif 000020
【図１９】
2007511438.tif 000021
【図２０】
2007511438.tif 000022
【図２１】
2007511438.tif 000023
【図２２】
2007511438.tif 000024
【図２３】
2007511438.tif 000025
【図２４】
2007511438.tif 000026
【図２５】
2007511438.tif 000027
【図２６】
2007511438.tif 000028
【図２７】
2007511438.tif 000029
【図２８】
2007511438.tif 000030
【図２９】
2007511438.tif 000031
【図３１】
2007511438.tif 000032
【図３２】
2007511438.tif 000033
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
カートンの底部壁に転がり接触する底部段を有する複数の段で配置された複数の略円柱形物品を含むためのカートンにおいて、
該カートンが、該カートンの端部領域からの物品の個々の取り出しを容易にするための物品アクセス手段を備え、
前記アクセス手段が、該カートン内に含まれる２つの並置された物品に位置合わせされた状態で端部壁に交差して延びるとともに隣接する側部壁に延びる該カートンの完全取り外し可能部分によって設けられ、
前記完全取り外し可能部分が、該カートン内に含まれる当接しあう物品のグループの端部同士の間の空洞をカバーするように位置合わせされた切り取り可能侵入ポイントを前記側部壁に有し、
それによって、前記侵入ポイントが、該カートンからの前記完全取り外し可能部分の漸進性分離を開始するための前記側部壁の貫通を容易にし、
前記完全取り外し可能部分は、前記２つの並置された物品の少なくとも側部及び端部部分を露出させる開口部が生成されるとともにカートン端部壁の一対の協働保持手段が形成されるまで、前記切り取り可能侵入ポイントからの前記完全取り外し可能部分の連続的分離が漸進的により多くのカートン内容物を露出させるように構成され、
前記協働保持部分はそれぞれ、それらが前記開口部を通じた物品の自由な通過を妨げる一方、個々の物品がそれにもかかわらず前記開口部を通じて前記カートンから取り除かれるのを許容するように前記端部壁に交差して延びている、
ことを特徴とするカートン。
【請求項２】
請求項１に記載のカートンにおいて、
前記一対の協働保持部分の一方が前記カートンの部分的取り外し可能部分から形成され、該部分的取り外し可能部分が、前記完全取り外し可能部分に接して配置されていることを特徴とするカートン。
【請求項３】
請求項１または２に記載のカートンにおいて、
前記一対の協働保持部分が、前記物品の側部に対して摩擦抵抗を作用させることにより、前記開口部を通じた物品の自由な通過を妨げることを特徴とするカートン。
【請求項４】
請求項１または３に記載のカートンにおいて、
前記完全取り外し可能部分が、循環切り取り線によって画成され、かつ、前記切り取り線が、前記側部壁の侵入ポイントから前記端部壁の方へ向かって分岐していることを特徴とするカートン。
【請求項５】
請求項２〜４のいずれか１項に記載のカートンにおいて、 
前記部分的取り外し可能部分の展開が、前記完全取り外し可能部分の取り除きの結果として生じることを特徴とするカートン。
【請求項６】
請求項１〜４のいずれか１項に記載のカートンにおいて、
前記一対の協働保持部分が、協働する一対のリップを一緒に形成することを特徴とするカートン。
【請求項７】
請求項１〜５のいずれか１項に記載のカートンにおいて、
前記一対の協働保持部分の一方が、最下方の段に配置される物品を保持し、かつ、前記一対の協働保持部分の他方が、最上方の段に配置された物品を保持することを特徴とするカートン。
【請求項８】
請求項１〜６のいずれかに記載のカートンにおいて、
前記開口部は、前記複数の物品の最上方の段と最下方の段との間の段にある物品を露出させることを特徴とするカートン。
【請求項９】
請求項１〜７のいずれか１項に記載のカートンにおいて、
前記側部壁の開口部が、物品の末端の列に配置された２つの物品のそれぞれの一方の端部の一部分と、前記末端の列に配置された前記２つの物品と第２の末端の列に配置された２つの物品との間のスペースとを露出させるのみであり、前記スペースが、２つの隣接する前記段における前記物品によって画成されていることを特徴とするカートン。
【請求項１０】
請求項１〜８のいずれか１項に記載のカートンにおいて、
前記完全取り外し可能部分が切り取り線によって画成され、前記部分的取り外し可能部分が、同一の前記切り取り線の一部分によって部分的に画成されていることを特徴とするカートン。
【請求項１１】
請求項１〜９のいずれか１項に記載のカートンにおいて、
前記部分的取り外し可能部分が、直線状折り曲げ線によって部分的に画成され、前記部分的取り外し可能部分が、個々の物品の取り出しを許容するように前記折り曲げ線に関して移動可能とされていることを特徴とするカートン。
【請求項１２】
カートンの底部壁に転がり接触する底部段を有する複数の段で配置された複数の略円柱形物品を含むためのカートンを形成するブランクにおいて、
該ブランクが、カートン壁を形成するための一連のパネルと、セットアップされたカートンの端部領域からの物品の個々の取り出しを容易にする物品アクセス手段を画成するための切り取り線構成と、を備え、
前記アクセス手段が、端部壁に交差して隣接する側部壁に延びる前記切り取り線構成の一部分によって画成された完全取り外し可能部分によって設けられ、
前記完全取り外し可能部分が、前記カートンからの前記完全取り外し可能部分の漸進性分離を開始するための前記側部壁の貫通を容易にするため、前記カートン内に含まれる物品の端部同士の間の空洞をカバーするように位置合わせされた切り取り可能侵入ポイントを前記側部壁に有し、
前記完全取り外し可能部分は、２つの並置された物品の少なくとも側部及び端部部分を露出させる開口部が生成されるとともにカートン端部壁の一対の協働保持手段が形成されるまで、前記切り取り可能侵入ポイントからの前記完全取り外し可能部分の連続的分離が漸進的により多くのカートン内容物を露出させるように構成され、
前記協働保持部分はそれぞれ、それらが前記開口部を通じた物品の自由な通過を妨げる一方、個々の物品がそれにもかかわらず前記開口部を通じて前記カートンから取り除かれるのを許容するように前記端部壁に交差して延びている、
ことを特徴とするブランク。
【請求項１３】
パッケージにおいて：
複数の段で横に配置された複数の略円柱形物品であって、前記複数の段のそれぞれにおける末端の物品が、物品の末端の列を画成し、前記物品の末端の列に隣接する物品が、物品の第２の末端の列を画成する、複数の略円柱形物品と；
前記物品を囲むカートンと；
を備え、
該カートンは：
前記複数の段のそれぞれにおける前記物品の端部に沿って延びる第１の壁と；
前記第１の壁に折り曲げ可能に接続されるとともに前記末端の列における前記物品の側部に沿って延びる第２の壁と；
前記第１の壁と前記第２の壁とから少なくとも部分的に取り外し可能に形成された少なくとも１つの取り外し可能部分であって、前記カートンから取り外された該少なくとも１つの取り外し可能部分が前記第１の壁に沿って延びる開口部を画成し、前記開口部が前記末端の列と前記第２の末端の列との間のスペースを露出させ、前記スペースが２つの隣接する段にある物品によって画成されるように構成された取り外し可能部分と；
を備えていることを特徴とするパッケージ。
【国際調査報告】
2007511438.tif 000034
2007511438.tif 000035
2007511438.tif 000036
2007511438.tif 000037
2007511438.tif 000038